(57)【要約】  簡単な構成で、第１筺体を開蓋状態としたときに正面斜め上方向からは第１筺体と第２筺体との間にヒンジ装置が見えず、かつ第１筺体の下端が第２筺体に隠れないようにし得るヒンジ装置及び電子機器を提供する。ヒンジ装置（１０Ａ）は、ディスプレイ部（３）とキーボード部（２）との間に設けられ、キーボード部（２）に対してディスプレイ部（３）を開閉可能に連結する。キーボード部（２）の後側に、一端部が該キーボード部（２）に一体に形成される断面Ｕ字状のＵ字状部（１１）を備える。Ｕ字状部（１１）の他端部には、キーボード部（２）に対してディスプレイ部（３）を開閉すべく、ディスプレイ部（３）の背面を支持し、ディスプレイ部（３）を回転可能とするヒンジ部（１２）が設けられている。Ｕ字状部（１１）の一端部には、ディスプレイ部（３）の回転時にディスプレイ部（３）の下端とＵ字状部（１１）の一端部との接触を回避させる凹部（１３）が形成されている。
2019043825.tif 000002
【特許請求の範囲】
【請求項１】
第１筐体と第２筐体との間に設けられ、第２筐体に対して第１筐体を開閉可能に連結するヒンジ装置において、
前記第２筐体の後側に、一端部が該第２筐体に一体に形成される断面Ｕ字状のＵ字状部を備え、
前記Ｕ字状部の他端部には、前記第２筐体に対して第１筐体を開閉すべく、該第１筐体の背面を支持し、該第１筐体を回転可能とするヒンジ部が設けられていると共に、
前記Ｕ字状部の一端部には、前記第１筐体の回転時に該第１筐体の下端と該Ｕ字状部の一端部との接触を回避させる凹部が形成されていることを特徴とするヒンジ装置。
【請求項２】
前記ヒンジ部は、前記第１筐体の下端から上端方向にずれた位置で該第１筐体の背面を支持していることを特徴とする請求項１に記載のヒンジ装置。
【請求項３】
前記凹部は、断面円弧状に形成されていることを特徴とする請求項１又は２に記載のヒンジ装置。
【請求項４】
前記凹部は、断面矩形状に形成されていることを特徴とする請求項１又は２に記載のヒンジ装置。
【請求項５】
前記ヒンジ部における、前記第１筐体と第２筐体との回転軸に平行な方向の長さは、第１筐体の長さの全部となっていることを特徴とする請求項１〜４のいずれか１項に記載のヒンジ装置。
【請求項６】
前記ヒンジ部における、前記第１筐体と第２筐体との回転軸に平行な方向の長さは、第１筐体の長さの一部となっていることを特徴とする請求項１〜４のいずれか１項に記載のヒンジ装置。
【請求項７】
前記第１筺体は、表示パネルを備え、
前記第２筺体は、回路基板を備え、
前記ヒンジ部は、回転軸を備え、
前記表示パネルと前記回路基板とは、フレキシブル回路によって電気的に接続されていると共に、
前記フレキシブル回路は、前記表示パネルの幅の少なくとも半分以下の幅長さを有しており、かつ、前記回転軸の周りに該回転軸に固定しないように巻き付けられ、さらに、前記表示パネルへ向かうフレキシブル回路と前記回路基板へ向かうフレキシブル回路とは互い違いに巻き付けられることを特徴とする請求項１〜６のいずれか１項に記載のヒンジ装置。
【請求項８】
前記表示パネルは、可撓性基板からなり、該可撓性基板にＴＦＴ層が設けられ、かつ該ＴＦＴ層の上に複数の光学素子が設けられており、さらに表示領域と該表示領域の外周を囲む額縁領域とを有し、該額縁領域の一端には前記フレキシブル回路からの信号を表示領域に入力する端子部が設けられ、該端子部と該表示領域との間には折り曲げ部が設けられ、
前記折り曲げ部には、前記ＴＦＴ層の少なくとも１層の無機絶縁膜にスリットが設けられ、かつ折り曲げ部において前記額縁領域が折り曲げられることによって前記端子部が表示パネルの裏面側を向くと共に、該表示パネルの裏面でフレキシブル回路と端子部とが接続されることを特徴とする請求項７に記載のヒンジ装置。
【請求項９】
前記折り曲げ部は、前記Ｕ字状部の内部に形成されることを特徴とする請求項８に記載のヒンジ装置。
【請求項１０】
前記ヒンジ部の回転軸から端子部方向に延伸する前記フレキシブル回路は、表示パネルと接する箇所で折り曲げられて、前記端子部と電気的に接続されることを特徴とする請求項８又は９に記載のヒンジ装置。
【請求項１１】
前記ヒンジ部は、第１筺体の裏面に設けられており、該第１筺体を開蓋状態としたとき、該第１筺体からヒンジ部が露出しない構成となっていることを特徴とする請求項１〜９のいずれか１項に記載のヒンジ装置。
【請求項１２】
請求項１〜１１のいずれか１項に記載のヒンジ装置を備えていることを特徴とする電子機器。
【発明の詳細な説明】
【技術分野】
【０００１】
本発明は、第１筐体と第２筐体との間に設けられ、第１筐体に対して第２筐体を開閉可能に連結するヒンジ装置及び電子機器に関するものである。
【背景技術】
【０００２】
キーボードを有する本体部とディスプレイ部とを備えるノート型パソコン等の電子機器では、ディスプレイ部の筐体が本体部の筐体にヒンジ装置で開閉可能に連結されている。ヒンジ装置は、２つの筐体の開閉の中心となる部分に設けられている。電子機器を使用しないときには、ヒンジ装置によってディスプレイ部を閉じて本体部に重ね合わせることにより、電子機器をコンパクトに折り畳むことができる。【０００３】
近年、ディスプレイ技術が進化し、画面の４ 辺の所謂額縁幅が略０となる傾向にある。このような額縁幅が略０となるディスプレイ部を備えたノート型パソコンにおいては、従来のヒンジ装置を用いて、該ノート型パソコンを設計した場合、次の２つの問題が生じる可能性がある。【０００４】
第１の問題は、図１１の（ａ）に示すように、開蓋状態としたときに、キーボードを有する本体部１０１の奥側にディスプレイ部１０２が存在する場合には、本体部１０１によってディスプレイ部１０２の画面の下端部が隠れるという問題である。【０００５】
また、第２の問題は、図１１の（ｂ）に示すように、ディスプレイ部１０２を開蓋状態としたときに、キーボードを有する本体部１０１とディスプレイ部１０２との間にヒンジ装置１０３が見えるという問題である。【０００６】
そこで、この問題を解決するために、例えば特許文献１に開示されたヒンジが知られている。【０００７】
特許文献１に開示されたヒンジ２００は、図１２の（ａ）（ｂ）に示すように、ディスプレイ部２０２を開蓋状態としたときに、キーボードを有する本体部２０１の内部に挿入されて見えないようになっている。
【先行技術文献】
【特許文献】
【０００８】
【特許文献１】日本国公開特許公報「特開２０１２−１４１９１５号（２０１２年７月２６日公開）」
【発明の概要】
【発明が解決しようとする課題】
【０００９】
しかしながら、上記従来の特許文献１に開示されたヒンジ２００は、ディスプレイ部２０２を開蓋状態としたときに、キーボードを有する本体部２０１の内部に挿入されて見えないようにするために、複雑な構成を有している。【００１０】
本発明は、前記従来の問題点に鑑みなされたものであって、その目的は、簡単な構成で、第１筺体を開蓋状態としたときに正面斜め上方向からは第１筺体と第２筺体との間にヒンジ装置が見えず、かつ第１筺体の下端が第２筺体に隠れないようにし得るヒンジ装置及び電子機器を提供することにある。
【課題を解決するための手段】
【００１１】
本発明の一態様におけるヒンジ装置は、前記の課題を解決するために、第１筐体と第２筐体との間に設けられ、第２筐体に対して第１筐体を開閉可能に連結するヒンジ装置において、前記第２筐体の後側に、一端部が該第２筐体に一体に形成される断面Ｕ字状のＵ字状部を備え、前記Ｕ字状部の他端部には、前記第２筐体に対して第１筐体を開閉すべく、該第１筐体の背面を支持し、該第１筐体を回転可能とするヒンジ部が設けられていると共に、前記Ｕ字状部の一端部には、前記第１筐体の回転時に該第１筐体の下端と該Ｕ字状部の一端部との接触を回避させる凹部が形成されていることを特徴としている。【００１２】
本発明の一態様における電子機器は、前記の課題を解決するために、前記ヒンジ装置を備えていることを特徴としている。
【発明の効果】
【００１３】
本発明の一態様によれば、簡単な構成で、第１筺体を開蓋状態としたときに正面斜め上方向からは第１筺体と第２筺体との間にヒンジ装置が見えず、かつ第１筺体の下端が第２筺体に隠れないようにし得るヒンジ装置及び電子機器を提供するという効果を奏する。
【図面の簡単な説明】
【００１４】
【図１】本発明の実施形態１におけるヒンジ装置の構成を示す斜視図である、
【図２】（ａ）は前記電子機器の開蓋状態を示す斜視図であり、（ｂ）は電子機器の閉蓋状態を示す斜視図である。
【図３】（ａ）は前記電子機器の閉蓋状態を示す要部断面図であり、（ｂ）は電子機器の閉蓋状態から開蓋状態への遷移状態を示す要部断面図であり、（ｃ）は電子機器の開蓋状態を示す要部断面図である、
【図４】（ａ）は前記電子機器のフレキシブル回路の構成を示す斜視図であり、（ｂ）は一般的なフレキシブル回路の構成を示す斜視図である。
【図５】（ａ）（ｂ）は、本発明の実施形態１におけるヒンジ装置の変形例の構成を示す斜視図である、
【図６】（ａ）（ｂ）は、本発明の実施形態１におけるヒンジ装置の他の変形例の構成を示す斜視図である、
【図７】本発明の実施形態１におけるヒンジ装置のさらに他の変形例の構成を示す断面図である、
【図８】本発明の実施形態２における電子機器のヒンジ装置の構成を示すものであって、電子機器の開蓋状態を示す断面図である。
【図９】（ａ）は本発明の実施形態３における電子機器のヒンジ装置の構成を示す斜視図であり、（ｂ）は前記電子機器の表示パネルの構成を示す断面図である。
【図１０】前記表示パネルの折り曲げ部及びフレキシブル回路の構成を示す斜視図である。
【図１１】（ａ）は従来の電子機器を開蓋状態としたときに、ディスプレイ部の下端が本体部で隠れている状態の電子機器を示す斜視図であり、（ｂ）は従来の電子機器を開蓋状態としたときに、ディスプレイ部と本体部との間に隙間及びヒンジが見えている状態の電子機器を示す斜視図である。
【図１２】（ａ）は従来の他の電子機器における開蓋状態を示す断面図であり、（ｂ）は前記他の従来の電子機器における閉蓋状態を示す断面図である。
【発明を実施するための形態】
【００１５】
〔実施の形態１〕
本発明の一実施形態について図１〜図７に基づいて説明すれば、以下のとおりである。
【００１６】
本実施の形態のヒンジ装置１０Ａを備えた電子機器としてのノート型パソコン１Ａの構成について、図２の（ａ）（ｂ）に基づいて説明する。尚、本実施の形態では、電子機器としてのノート型パソコン１Ａを例示して説明するが、電子機器は必ずしもノート型パソコン１Ａに限らず、例えば、携帯電話等であってもよい。図２の（ａ）は、本実施の形態のノート型パソコン１Ａの構成を示すものであって、ノート型パソコン１Ａの開蓋状態を示す斜視図である。図２の（ｂ）は、ノート型パソコン１Ａの構成を示すものであって、ノート型パソコン１Ａの閉蓋状態を示す斜視図である。
【００１７】
本実施の形態のヒンジ装置１０Ａを備えた電子機器としてのノート型パソコン１Ａは、図２の（ａ）（ｂ）に示すように、第２筐体としてのキーボード部２と、第１筐体としてのディスプレイ部３とを備えている。
【００１８】
キーボード部２は、例えばキーボード２ａを有しており、文字等を入力することができるようになっている。尚、本実施の形態のキーボード部２は例えば物理キーとしてのキーボード２ａを有している。しかし、本実施の形態のキーボード部２は、必ずしも物理キーとしてのキーボード２ａを有していなくてもよい。例えば、例えばキーが、タッチディスプレイやタッチ式シートキーのようなものであってもよい。
【００１９】
ディスプレイ部３は表示パネル３ａを備えており、表示パネル３ａは例えば有機ＥＬディスプレイからなっている。しかし、本発明の一態様における第１筐体は、必ずしもこれに限らず、光学素子を備えた表示パネルであれば、特に限定されるものではない。上記光学素子は、電流によって輝度や透過率が制御される光学素子と、電圧によって輝度や透過率が制御される光学素子とがある。電流制御の光学素子としては、ＯＬＥＤ（Organic Light Emitting Diode：有機発光ダイオード）を備えた有機ＥＬ（Electro Luminescence：エレクトロルミネッセンス）ディスプレイ、又は無機発光ダイオードを備えた無機ＥＬディスプレイ等のＥＬディスプレイＱＬＥＤ（Quantum dot Light Emitting Diode：量子ドット発光ダイオード）を備えたＱＬＥＤディスプレイ等がある。また、電圧制御の光学素子としては、液晶表示素子等がある。
【００２０】
本実施の形態では、特に、ディスプレイ部３の全面が表示画面となっており、画面の周辺端部に所謂額縁が無いものとなっている。キーボード部２の寸法は、例えば、横３００〜３５０ｍｍ、縦１７０〜２００ｍｍ、厚さ６〜７ｍｍであり、ディスプレイ部３の寸法は、例えば、横３００〜３５０ｍｍ、縦１７０〜２００ｍｍ、厚さ３．５〜４．５ｍｍである。尚、これらの数値は、あくまでも例示である。例えば、キーボード部２及びディスプレイ部３の厚さが異なれば、ヒンジ装置１０Ａの寸法も異なってくる。
【００２１】
このように、本実施の形態のノート型パソコン１Ａにおけるキーボード部２及びディスプレイ部３は、ディスプレイ部３に所謂額縁が無い点を除いては、一般的のノート型パソコンの構成と同じである。尚、本実施の形態では、ディスプレイ部３に所謂額縁が全く存在していないが、本発明の一態様においては、所謂額縁が全く存在しない場合に限らず、所謂額縁が小さい場合も含む。
【００２２】
前記キーボード部２とディスプレイ部３との間には、キーボード部２に対してディスプレイ部３を開閉可能に連結するヒンジ装置１０Ａが設けられている。
【００２３】
本実施の形態のヒンジ装置１０Ａの構成の詳細について、図１、図３の（ａ）（ｂ）（ｃ）及び図４の（ａ）（ｂ）に基づいて説明する。図１は、本実施の形態におけるヒンジ装置１０Ａの構成を示す斜視図である、図３の（ａ）は、本実施の形態におけるノート型パソコン１Ａの閉蓋状態を示す要部断面図である。図３の（ｂ）は、電子機器の閉蓋状態から開蓋状態への遷移状態を示す要部断面図である。図３の（ｃ）は、電子機器の開蓋状態を示す要部断面図である。図４の（ａ）は、ノート型パソコン１Ａのフレキシブル回路２ｃの構成を示す斜視図である。図４の（ｂ）は、一般的なフレキシブル回路の構成を示す斜視図である。
【００２４】
本実施の形態のヒンジ装置１０Ａは、図３の（ａ）（ｂ）（ｃ）に示すように、キーボード部２の後側に、一端部がキーボード部２に一体に形成される断面Ｕ字状のＵ字状部１１を備えている。尚、本発明の一態様においては、ヒンジ装置１０ＡのＵ字状部１１は、キーボード部２とは一体成形で形成されており、Ｕ字状部１１の一端部とキーボード部２の奥側端との間に継ぎ目はない。しかし、本発明の一態様においては、必ずしもＵ字状部１１をキーボード部２に一体成形で形成することにより、Ｕ字状部１１をキーボード部２と一体に形成する必要はない。例えば、Ｕ字状部１１とキーボード部２とは互いに別体に設けられ、キーボード部２の後側に、Ｕ字状部１１の一端部が、例えば、ネジ止め、接着、溶着等によって接合されることにより、Ｕ字状部１１がキーボード部２に一体化されていてもよい。
【００２５】
前記Ｕ字状部１１は、内寸幅が例えば４．５〜５．５ｍｍであり、Ｕ字状部１１の最奥面から後述するヒンジ部１２のピン１２ａの中心までの寸法は、例えば５．０〜６．５ｍｍである。ただし、Ｕ字状部１１の最奥面からヒンジ部１２のピン１２ａの中心までの寸法は、これよりも大きくなってもよい。
【００２６】
本実施の形態のＵ字状部１１の他端には、ディスプレイ部３を開閉すべく、ディスプレイ部３の背面を支持し、かつディスプレイ部３を回転可能とするヒンジ部１２が設けられている。
【００２７】
ヒンジ部１２は、図３の（ａ）に示すように、回転軸であるピン１２ａと、図２の（ｂ）に示すように、Ｕ字状部１１に固定され２つのＵ字状部側ピン支持部材１２ｂと、ディスプレイ部３に固定され、前記２つのＵ字状部側ピン支持部材１２ｂ・１２ｂの間に設けられたディスプレイ部側ピン支持部材１２ｃとから構成されている。Ｕ字状部側ピン支持部材１２ｂ・１２ｂ及びディスプレイ部側ピン支持部材１２ｃは、ピン１２ａを回動自在に支持している。尚、本実施の形態では、両側に存在するＵ字状部側ピン支持部材１２ｂ・１２ｂがＵ字状部１１に支持固定され、間に挟まれるディスプレイ部側ピン支持部材１２ｃがディスプレイ部３に支持固定されている。しかし、必ずしもこれに限らず、各ピン支持部材がこの逆であってもよい。
【００２８】
ここで、本実施の形態のヒンジ装置１０Ａでは、ヒンジ部１２は、ディスプレイ部３の下端から上端方向にずれた位置でディスプレイ部３の背面を支持している。具体的には、ディスプレイ部３の下端とヒンジ部１２の回転軸であるピン１２ａの中心位置との距離は、例えば４．５〜６．０ｍｍとなっている。例えば、ヒンジ部がディスプレイ部３の下端位置で該ディスプレイ部３の背面を支持している場合には、キーボード部２に対してディスプレイ部３を開蓋状態にしたときに、ディスプレイ部３の下端とキーボード部２の奥側端との間の距離が大きくなる。このため、ディスプレイ部３を開蓋状態としたときに、正面斜め上方向からはディスプレイ部３とキーボード部２との間にヒンジ装置が見える可能性がある。また、ディスプレイ部３の下端とキーボード部２の奥側端との間で指を挟む等の問題も生じる。
【００２９】
しかし、本実施の形態では、ヒンジ部１２は、ディスプレイ部３の下端から上端方向にずれた位置でディスプレイ部３の背面を支持している。このため、ディスプレイ部３を開蓋状態としたときに、正面斜め上方向からはディスプレイ部３とキーボード部２との間にヒンジ装置１０Ａが見えたり、ディスプレイ部３の下端とキーボード部２の奥側端との間で指を挟んだりするというような問題が生じる可能性は小さい。
【００３０】
すなわち、例えば、ディスプレイ部３の開蓋状態のときに、キーボード部２の表面に平行な方向から見た場合には、ヒンジ装置１０Ａが見えると考えられる。しかし、操作者は、ノート型パソコン１Ａの通常の使用時においては、そのような角度では見ないはずであり、ノート型パソコン１Ａを正面上側から見るはずである。このため、ノート型パソコン１Ａを正面上側から見たときに、ヒンジ装置１０Ａが見えなければ、操作者はヒンジ装置１０Ａを気にすることなく操作すると判断される。
【００３１】
この結果、本発明の一態様においては、操作者の通常の使用時である正面上側から見たときに、ヒンジ装置１０Ａが見えていなければよいとするものである。尚、本実施の形態のノート型パソコン１Ａにおいては、ディスプレイ部３を通常使用時の開蓋状態とした場合のキーボード部２とディスプレイ部３との距離は例えば約４ｍｍとなっている。
【００３２】
尚、ヒンジ部１２とディスプレイ部３の下端との距離が長くなると、Ｕ字状部１１の奥行長さが大きくなる。
【００３３】
また、本実施の形態におけるヒンジ装置１０Ａでは、ヒンジ部１２における、ディスプレイ部３とキーボード部２との回転軸であるピン１２ａに平行な方向の長さは、ディスプレイ部３の長さの一部となっている。
【００３４】
これにより、ヒンジ部１２及びヒンジ装置１０Ａの軽量化を図ることができる。また、意匠として美観を有している。さらに、Ｕ字状部１１を取っ手としてノート型パソコン１Ａを把持することが可能である。また、例えば、キーボード部２の奥側の一部にバッテリ等を搭載する場合においても、そのバッテリの搭載位置を避けてヒンジ部１２を設けることが可能となる。
【００３５】
尚、本実施の形態では、ディスプレイ部３とキーボード部２との回転軸であるピン１２ａに平行な方向の長さは、ディスプレイ部３の長さの一部となっているが、本発明の一態様においては、必ずしもこれに限らない。例えば、ヒンジ部１２におけるピン１２ａに平行な方向の長さとして、ディスプレイ部３の長さの全部とすることができる。これにより、ヒンジ部１２におけるディスプレイ部３及びキーボード部２の支持力が高まる。また、ヒンジ装置１０Ａがディスプレイ部３及びキーボード部２と一体となるので、ノート型パソコン１Ａの開蓋状態及び閉蓋状態のいずれにおいてもヒンジ装置１０Ａを目立たなくすることが可能である。
【００３６】
また、本実施の形態のノート型パソコン１Ａにおいては、図３の（ａ）に示すように、キーボード部２の内部に、回路基板２ｂが設けられている。そして、回路基板２ｂの端部には、フレキシブル回路２ｃが接続されており、フレキシブル回路２ｃは、Ｕ字状部１１の内部を通って、ディスプレイ部３の内部に設けられた表示パネル３ａに接続されている。
【００３７】
本実施の形態では、フレキシブル回路２ｃは、表示パネル３０の幅の少なくとも半分以下の幅長さを有していると共に、ヒンジ部１２の回転軸としてのピン１２ａの周りに該ピン１２ａに固定しないように巻き付けられている。
【００３８】
ここで、一般的に、フレキシブル回路を巻回する場合には、図４の（ｂ）に示すように、フレキシブル回路の両側の自由端を揃えるようにする。しかし、本実施の形態では、図４の（ｂ）に示すように、フレキシブル回路２ｃの両側の自由端が互い違いになるようにしている。これにより、フレキシブル回路２ｃに大きな弾性を付与することが可能となり、ノート型パソコン１のディスプレイ部３の開閉が容易となるようにしている。
【００３９】
ディスプレイ部３の表面には、ガラス板３ｂが保護部材として設けられている。Ｕ字状部１１の内部幅は、例えば５．０〜６．０ｍｍとなっている。
【００４０】
ところで、本実施の形態のヒンジ装置１０Ａにおいて、キーボード部２に対してディスプレイ部３を開閉すべく、ディスプレイ部３を回動することを考える。この場合、ディスプレイ部３の下端とキーボード部２の奥側端との間に十分な距離があるときには、ディスプレイ部３を自由に回動してキーボード部２に対してディスプレイ部３を自由に開閉することができる。しかし、そのように設計した場合には、キーボード部２に対してディスプレイ部３を開蓋状態にしたときに、ディスプレイ部３の下端とキーボード部２の奥側端との間に隙間が空き、見苦しくなる。
【００４１】
ここで、本実施の形態のノート型パソコン１Ａでは、ディスプレイ部３には所謂額縁が存在しない。このため、ディスプレイ部３の開蓋状態においては、正面斜め上方向から見たときに、ディスプレイ部３の下端がキーボード部２に隠れないようにすることが好ましい。
【００４２】
ここで、キーボード部２に対してディスプレイ部３を開蓋状態にして正面斜め上方向から見たときに、前記好ましい条件を満たし、かつディスプレイ部３の下端とキーボード部２の奥側端との間に隙間ができないようにするためには、ディスプレイ部３の下端とキーボード部２の奥側端とをできるだけ近づけなければならない。
【００４３】
しかし、そのように設計した場合には、ディスプレイ部３の回動中にディスプレイ部３の下端がＵ字状部１１の一端部に接触する。
【００４４】
そこで、本実施の形態におけるヒンジ装置１０Ａでは、図１に示すように、Ｕ字状部１１の一端部には、ディスプレイ部３の回転時にディスプレイ部３の下端とＵ字状部１１の一端部との接触を回避させる凹部１３が形成されている。これにより、キーボード部２に対してディスプレイ部３を開蓋状態にしたときに、ディスプレイ部３の下端とキーボード部２の奥側端とをできるだけ近づけたとしても、ディスプレイ部３の回転時にディスプレイ部３の下端がＵ字状部１１の一端部に接触しない。この結果、ディスプレイ部３を問題なく回転させることができる。
【００４５】
ここで、本実施の形態では、凹部１３は、特に、断面形状が円弧状の円弧状凹部１３ａとなっている。この円弧状凹部１３ａの曲率は、ディスプレイ部３の回転半径に沿う断面円弧状となっている。この結果、凹部１３の断面を小さくすることができるので、ヒンジ装置１０Ａの強度が低下するのを防止することができる。
【００４６】
本実施の形態のヒンジ装置１０Ａを備えたノート型パソコン１Ａの開蓋動作について、図３の（ａ）（ｂ）（ｃ）に基づいて説明する。
【００４７】
図３の（ａ）に示すように、ディスプレイ部３の閉蓋状態においては、ディスプレイ部３はキーボード部２に対して平行となるように折り畳まれている。このとき、ヒンジ装置１０Ａのヒンジ部１２は、ディスプレイ部３の端部に載っているような状態となっている。
【００４８】
この状態から、ディスプレイ部３を開蓋状態にするには、ディスプレイ部３をヒンジ部１２のピン１２ａを中心に回動させる。このとき、図３の（ｂ）に示すように、Ｕ字状部１１の一端部には円弧状凹部１３ａが形成されている。このため、ディスプレイ部３の下端がＵ字状部１１の一端部に接触しないので、図３の（ｃ）に示すように、操作者は、ディスプレイ部３を、見易い角度となるように、問題なく回転させることができる。また、このディスプレイ部３の回転による該ディスプレイ部３の開蓋動作によって、操作者が正面から見ている状態においては、ヒンジ部１２がディスプレイ部３の背面に隠れるようになる。かつ、操作者が正面から見ている状態においては、ディスプレイ部３の端部とキーボード部２の奥端部との間には何も存在しないように見える。逆に、ディスプレイ部３がキーボード部２に載っているように見える。
【００４９】
これにより、図２の（ａ）に示すように、ディスプレイ部３を開蓋状態にしたときに、ノート型パソコン１Ａを正面斜め上方から見たときに、ディスプレイ部３とキーボード部２との間にヒンジ装置が見えず、かつディスプレイ部３の下端がキーボード部２に隠れないようにすることができる。
【００５０】
このように、本実施の形態におけるヒンジ装置１０Ａは、第１筐体としてのディスプレイ部３と第２筐体としてのキーボード部２との間に設けられ、キーボード部２に対してディスプレイ部３を開閉可能に連結する。そして、キーボード部２の後側に、一端部がキーボード部２に一体に形成される断面Ｕ字状のＵ字状部１１を備える。Ｕ字状部１１の他端部には、キーボード部２に対してディスプレイ部３を開閉すべく、ディスプレイ部３の背面を支持し、ディスプレイ部３を回転可能とするヒンジ部１２が設けられている。Ｕ字状部１１の一端部には、ディスプレイ部３の回転時にディスプレイ部３の下端とＵ字状部１１の一端部との接触を回避させる凹部１３が形成されている。
【００５１】
これにより、キーボード部２に対してディスプレイ部３を開蓋状態にしたときに、ディスプレイ部３の下端とキーボード部２の奥側端とをできるだけ近づけたとしても、Ｕ字状部１１の一端部には、凹部１３が形成されているので、ディスプレイ部３を回転させることができる。
【００５２】
また、ヒンジ装置１０Ａは、一端部に凹部１３を形成しかつ他端部にヒンジ部１２を備えたＵ字状部１１にて構成されており、構成は簡単である。具体的には、ヒンジ装置１０Ａは、ディスプレイ部３を回動させるヒンジ部１２が一箇所のみであり、かつそのヒンジ部１２はディスプレイ部３の背面に存在しており、さらにＵ字状部１１の一端部に凹部１３を形成しただけである。
【００５３】
したがって、簡単な構成で、ディスプレイ部３を開蓋状態としたときに正面斜め上方向からはディスプレイ部３とキーボード部２との間にヒンジ装置１０Ａが見えず、かつディスプレイ部３の下端がキーボード部２に隠れないようにし得るヒンジ装置１０Ａを提供することができる。この結果、美観上優れた意匠を実現することができる。
【００５４】
また、本実施の形態におけるヒンジ装置１０Ａでは、ヒンジ部１２は、ディスプレイ部３の下端から上端方向にずれた位置でディスプレイ部３の背面を支持している。このため、ディスプレイ部３を開蓋状態としたときに、正面斜め上方向から、ディスプレイ部３とキーボード部２との間にヒンジ装置１０Ａが見えたり、ディスプレイ部３の下端とキーボード部２の奥側端との間で指を挟んだりする可能性は小さい。
【００５５】
また、本実施の形態におけるヒンジ装置１０Ａでは、凹部１３、断面円弧状の円弧状凹部１３ａにて形成されている。この結果、凹部１３の断面を小さくすることができるので、ヒンジ装置１０Ａの強度が低下するのを防止することができる。
【００５６】
また、本実施の形態におけるヒンジ装置１０Ａでは、ヒンジ部１２における、ディスプレイ部３とキーボード部２との回転軸であるピン１２ａに平行な方向の長さは、ディスプレイ部３の長さの全部又は一部となっている。
【００５７】
これにより、ヒンジ部１２におけるピン１２ａに平行な方向の長さとして、ディスプレイ部３の幅方向の長さの全部とすることができる。このため、ヒンジ部１２におけるディスプレイ部３及びキーボード部２の支持力が高まる。また、ヒンジ部１２におけるピン１２ａに平行な方向の長さは、ディスプレイ部３の幅方向の長さの一部でもよい。このため、ヒンジ部１２及びヒンジ装置１０Ａの軽量化を図ることができる。
【００５８】
また、本実施の形態におけるヒンジ装置１０Ａでは、ディスプレイ部３は表示パネル３ａを備え、キーボード部２は回路基板２ｂを備え、ヒンジ部１２は回転軸としてのピン１２ａを備えている。また、表示パネル３ａと回路基板２ｂとは、フレキシブル回路２ｃによって電気的に接続されている。さらに、フレキシブル回路２ｃは、表示パネル３ａの幅の少なくとも半分以下の幅長さを有していると共に、回転軸としてのピン１２ａの周りに該ピン１２ａに固定しないように巻き付けられている。また、表示パネル３ａへ向かうフレキシブル回路２ｃと回路基板２ｂへ向かうフレキシブル回路２ｃとは互い違いに巻き付けられる。
【００５９】
これにより、ディスプレイ部３とキーボード部２とを開閉してもフレキシブル回路２ｃがある張力を有して動作する。このため、ディスプレイ部３とキーボード部２との開閉動作をフレキシブル回路２ｃがアシストする。この結果、フレキシブル回路２ｃに大きな張力が掛かって破れるのを防ぐことができる。
【００６０】
また、本実施の形態におけるヒンジ装置１０Ａでは、ヒンジ部１２は、ディスプレイ部３の裏面に設けられており、ディスプレイ部３を開蓋状態としたとき、ディスプレイ部３からヒンジ部１２が露出しない構成となっている。これにより、意匠性に優れたヒンジ装置１０Ａを提供することができる。
【００６１】
また、本実施の形態における電子機器としてのノート型パソコン１Ａは、本実施の形態のヒンジ装置１０Ａを備えている。これにより、簡単な構成で、ディスプレイ部３を開蓋状態としたときに正面斜め上方向からはディスプレイ部３とキーボード部２との間にヒンジ装置１０Ａが見えず、かつディスプレイ部３の下端がキーボード部２に隠れないようにし得るヒンジ装置１０Ａを備えたノート型パソコン１Ａを提供することができる。
【００６２】
尚、本発明の一態様においては、上記の実施の形態に限定されるものではなく、本発明の範囲内で種々の変更が可能である。例えば、上記実施の形態では、凹部１３は円弧状凹部１３ａからなっている。つまり、円弧は１つとなっている。しかし、本発明の一態様においては、必ずしもこれに限らず、例えばキーボード部２側において１つの円弧状凹部１３ａに連続して円弧を設けた断面Ｓ字状凹部とすることが可能である。これにより、キーボード部２の上面と凹部１との接続面を滑らかなものとすることができる。
【００６３】
また、本実施の形態では、ヒンジ部１２はキーボード部２の奥端部に配置されている。しかし、必ずしもこれに限らず、ヒンジ部１２をキーボード部２のもう少し前面側に配置することも可能である、これにより、例えば、ヒンジ部１２の後端部側にバッテリ等を配置することが可能となる。
【００６４】
ここで、本実施の形態のヒンジ装置１０Ａの変形例について、図示して各種説明する。例えば、ヒンジ装置１０Ａの変形例として、図５の（ａ）に示すように、ヒンジ部１２の位置を、ディスプレイ部３の内側に配することが可能である。
【００６５】
また、図５の（ｂ）は、ヒンジ部１２の後端部側に前述したバッテリ等を配置した形状を示すものである。
【００６６】
さらに、図６の（ａ）に示すように、図１に比べて、ヒンジ部１２の幅を広くし、ヒンジ部１２の幅とキーボード部２及びディスプレイ部３との幅を例えば同じにすることができる。
【００６７】
また、図６の（ｂ）に示すように、ヒンジ部１２の位置を、ディスプレイ部３の内側に配することも可能である。
【００６８】
さらに、図６の（ａ）は、図５の（ａ）に示すヒンジ部１２の位置を、ディスプレイ部３の内側に配したタイプにおいて、図１に比べて、ヒンジ部１２の幅を広くし、ヒンジ部１２の幅とキーボード部２及びディスプレイ部３との幅を例えば同じにしたものである。
【００６９】
さらに、図７に示すように、ディスプレイ部３の後端側の厚さを前端側の厚さよりも厚く形成することが可能である。これにより、ヒンジ部１２とディスプレイ部３との間に段差ができるのを回避することができる。
【００７０】
〔実施の形態２〕
本発明の他の実施の形態について図８に基づいて説明すれば、以下のとおりである。尚、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００７１】
前記実施の形態１におけるノート型パソコン１Ａのヒンジ装置１０Ａは、Ｕ字状部１１の一端部に形成された凹部１３は、円弧状凹部１３ａからなっていた。これに対して、本実施の形態のノート型パソコン１Ｂのヒンジ装置１０Ｂは、Ｕ字状部１１の一端部に形成された凹部１３は、矩形凹部１３ｂからなっている点が異なっている。
【００７２】
本実施の形態のノート型パソコン１Ｂのヒンジ装置１０Ｂの構成について、図８に基づいて説明する。図８は、本実施の形態におけるノート型パソコン１Ｂのヒンジ装置１０Ｂの構成を示すものであって、ノート型パソコン１Ｂの開蓋状態を示す断面図である。
【００７３】
本実施の形態のヒンジ装置１０Ｂは、図８に示すように、凹部１３は、断面形状が矩形条に形成されており、矩形状凹部１３ｂとなっている。尚、矩形状凹部１３ｂは、必ずしも長方形、正方形等の矩形に限らず、台形等の矩形でもよい。
【００７４】
この矩形状凹部１３ｂは、凹部１３を形成する場合には、直線加工とすることができる。この結果、凹部１３を形成する場合に、加工が容易であるというメリットがある。
【００７５】
〔実施の形態３〕
本発明のさらに他の実施の形態について図９及び図１０に基づいて説明すれば、以下のとおりである。尚、本実施の形態において説明すること以外の構成は、前記実施の形態１・２と同じである。また、説明の便宜上、前記の実施の形態１・２の図面に示した部材と同一の機能を有する部材については、同一の符号を付し、その説明を省略する。
【００７６】
前記実施の形態１・２におけるノート型パソコン１Ａ・１Ｂでは、ディスプレイ部３の表示パネル３ａは、硬質基板からなっていた。これに対して、本実施の形態におけるノート型パソコン１Ｃでは、表示パネル３０が可撓性基板からなっている点が異なっている。
【００７７】
すなわち、表示パネル３０が可撓性基板からなっている場合には、第２筐体としてのキーボード部２と第１筐体としての表示パネル３０とを接続するフレキシブル回路２ｃを如何にして表示パネル３０に接続するかが問題となる。本実施の形態では、表示パネル３０が可撓性基板からなっている場合における、フレキシブル回路２ｃの表示パネル３０への接続方法について説明する。
【００７８】
本実施の形態のノート型パソコン１Ｃのヒンジ装置１０Ｃの構成について、図９の（ａ）（ｂ）及び図１０に基づいて説明する。図９の（ａ）は、本実施の形態のノート型パソコン１Ｃのヒンジ装置１０Ｃの構成を示す断面図である。図９の（ｂ）は、ノート型パソコン１Ｃの表示パネル３０の構成を示す断面図である。尚、図９の（ｂ）は、表示パネル３０が額縁領域３０ｂで折り返されず、表示領域３０ａと額縁領域３０ｂとが同一面に展開された状態を示している。図１０は表示パネル３０の折り曲げ部３４及びフレキシブル回路２ｃの構成を示す斜視図である。
【００７９】
図９の（ａ）（ｂ）及び図１０に示すように、本実施の形態におけるノート型パソコン１Ｃのヒンジ装置１０Ｃでは、ディスプレイ部３の表示パネル３０は、可撓性基板からなっている。
【００８０】
表示パネル３０には、基板上にＴＦＴ層３１が設けられ、かつ該ＴＦＴ層３１の上に複数の光学素子３２が設けられている。また、表示パネル３０は、表示領域３０ａと該表示領域３０ａの外周を囲む額縁領域３０ｂを有している。
【００８１】
額縁領域３０ｂの一端にはフレキシブル回路２ｃからの信号を表示領域３０ａに入力する端子部３３が設けられ、該端子部３３と該表示領域３０ａとの間には折り曲げ部３４が設けられている。折り曲げ部３４には、ＴＦＴ層３１の少なくとも１層の無機絶縁膜にスリット３５が設けられている。そして、折り曲げ部３４においては、額縁領域３０ｂが折り曲げられることによって端子部３３が表示パネル３０の裏面側を向く。これにより、表示パネル３０の裏面でフレキシブル回路２ｃと端子部３３とが接続される。
【００８２】
この結果、表示パネル３０が、可撓性基板で形成されていたとしても、スリット３５を有する折り曲げ部３４により容易に折り曲げることができる。また、フレキシブル回路２ｃと表示パネル３０とを端子部３３にて容易に接続することができる。
【００８３】
また、本実施の形態では、折り曲げ部３４は、Ｕ字状部１１の内部に形成される。これにより、折り曲げ部３４がＵ字状部１１の内部に隠れるので、折り曲げ部３４を見えなくすることができる。
【００８４】
また、本実施の形態のヒンジ装置１０Ｃでは、ヒンジ部１２のピン１２ａから端子部３３方向に延伸するフレキシブル回路２ｃは、表示パネル３０に対して略垂直に垂れ下がってくると共に、表示パネル３０と接する箇所で折り曲げられて、端子部３３と電気的に接続される。これにより、折り曲げ部３４にて折り返された表示パネル３０の端部に設けられた端子部３３とフレキシブル回路２ｃの端部とが同一面になる。この結果、表示パネル３０の端子部３３とフレキシブル回路２ｃとを電気的に容易に接続することができる。
【００８５】
〔まとめ〕
本発明の態様１におけるヒンジ装置１０Ａ・１０Ｂ・１０Ｃは、第１筐体（ディスプレイ部３）と第２筐体（キーボード部２）との間に設けられ、第２筐体（キーボード部２）に対して第１筐体（ディスプレイ部３）を開閉可能に連結するヒンジ装置において、前記第２筐体（キーボード部２）の後側に、一端部が該第２筐体（キーボード部２）に一体に形成される断面Ｕ字状のＵ字状部１１を備え、前記Ｕ字状部１１の他端部には、前記第２筐体（キーボード部２）に対して第１筐体（ディスプレイ部３）を開閉すべく、該第１筐体（ディスプレイ部３）の背面を支持し、該第１筐体（ディスプレイ部３）を回転可能とするヒンジ部１２が設けられていると共に、前記Ｕ字状部１１の一端部には、前記第１筐体（ディスプレイ部３）の回転時に該第１筐体（ディスプレイ部３）の下端と該Ｕ字状部１１の一端部との接触を回避させる凹部１３が形成されていることを特徴としている。
【００８６】
本構成によれば、ヒンジ装置は、第２筐体の後側に、一端部が該第２筐体に一体に形成される断面Ｕ字状のＵ字状部を備えている。そして、Ｕ字状部の他端部には、第２筐体に対して第１筐体を開閉すべく、該第１筐体の背面を支持し、該第１筐体を回転可能とするヒンジ部が設けられている。
【００８７】
このようなヒンジ装置において、第２筐体に対して第１筐体を開閉すべく、第１筐体を回動することを考える。この場合、第１筐体の下端と第２筐体の奥側端との間に十分な距離があるときには、第１筐体を自由に回動して第２筐体に対して第１筐体を自由に開閉することができる。しかし、そのように設計した場合には、第２筐体に対して第１筐体を開蓋状態にしたときに、第１筐体の下端と第２筐体の奥側端との間に隙間が空き、見苦しくなる。
【００８８】
一方、近年では、第１筺体が表示画面である場合に所謂額縁が小さいか又は無くなる傾向にある。このような第１筺体では、第２筐体に対して第１筐体を開蓋状態にして正面斜め上方向から見たときに、第１筺体の下端が第２筺体に隠れないようにすることが好ましい。
【００８９】
第２筐体に対して第１筐体を開蓋状態にして正面斜め上方向から見たときに、前記条件を満たし、かつ第１筐体の下端と第２筐体の奥側端との間に隙間ができないようにするためには、第１筐体の下端と第２筐体の奥側端とをできるだけ近づけなければならない。
【００９０】
しかし、そのように設計した場合には、第１筐体の回動中に第１筐体の下端がＵ字状部の一端部に接触する。
【００９１】
そこで、本発明の一態様におけるヒンジ装置では、Ｕ字状部の一端部には、第１筐体の回転時に該第１筐体の下端と該Ｕ字状部の一端部との接触を回避させる凹部が形成されている。
【００９２】
これにより、第２筐体に対して第１筐体を開蓋状態にしたときに、第１筐体の下端と第２筐体の奥側端とをできるだけ近づけたとしても、第１筐体を回転させることができる。
【００９３】
また、本ヒンジ装置は、一端部に凹部を形成しかつ他端部にヒンジ部を備えたＵ字状部にて構成されており、構成は簡単である。具体的には、ヒンジ装置は、第１筐体を回動させるヒンジ部が一箇所のみであり、かつそのヒンジ部は第１筐体の背面に存在しており、さらにＵ字状部の一端部に凹部を形成しただけである。
【００９４】
したがって、簡単な構成で、第１筺体を開蓋状態としたときに正面斜め上方向からは第１筺体と第２筺体との間にヒンジ装置が見えず、かつ第１筺体の下端が第２筺体に隠れないようにし得るヒンジ装置及び電子機器を提供することができる。
【００９５】
本発明の態様２におけるヒンジ装置１０Ａ・１０Ｂ・１０Ｃでは、前記ヒンジ部１２は、前記第１筐体（ディスプレイ部３）の下端から上端方向にずれた位置で該第１筐体（ディスプレイ部３）の背面を支持していることが好ましい。
【００９６】
例えば、ヒンジ部が第１筐体の下端位置で該第１筐体の背面を支持している場合には、第２筐体に対して第１筐体を開蓋状態にしたときに、第１筐体の下端と第２筐体の奥側端との間の距離が大きくなる。このため、第１筺体を開蓋状態としたときに、正面斜め上方向からは第１筺体と第２筺体との間にヒンジ装置が見える可能性がある。また、第１筐体の下端と第２筐体の奥側端との間で指を挟む等の問題も生じる。
【００９７】
この点、本発明の一態様におけるヒンジ装置では、ヒンジ部は、第１筐体の下端から上端方向にずれた位置で該第１筐体の背面を支持している。このため、そのような問題が生じる可能性は小さい。
【００９８】
本発明の態様３におけるヒンジ装置１０Ａでは、前記凹部１３（円弧状凹部１３ａ）は、断面円弧状に形成されている。
【００９９】
これにより、凹部の形状として、第１筺体の回転半径に沿う断面円弧状とすることができる。この結果、凹部の断面を小さくすることができるので、ヒンジ装置の強度が低下するのを防止することができる。
【０１００】
本発明の態様４におけるヒンジ装置１０Ｂでは、前記凹部１３（矩形状凹部１３ｂ）は、断面矩形状に形成されている。
【０１０１】
これにより、凹部を、断面矩形状に形成する場合には、加工が容易となる。
【０１０２】
本発明の態様５におけるヒンジ装置１０Ａ・１０Ｂ・１０Ｃでは、前記ヒンジ部１２における、前記第１筐体（ディスプレイ部３）と第２筐体（キーボード部２）との回転軸（ピン１２ａ）に平行な方向の長さは、第１筐体（ディスプレイ部３）の長さの全部となっているとすることができる。
【０１０３】
これにより、ヒンジ部における回転軸に平行な方向の長さとして、第１筐体の幅方向の長さの全部とすることができる。このため、ヒンジ部における第１筐体及び第２筐体の支持力が高まる。
【０１０４】
本発明の態様６におけるヒンジ装置１０Ａ・１０Ｂ・１０Ｃでは、前記ヒンジ部１２における、前記第１筐体（ディスプレイ部３）と第２筐体（キーボード部２）との回転軸（ピン１２ａ）に平行な方向の長さは、第１筐体（ディスプレイ部３）の長さの一部となっているとすることができる。
【０１０５】
これにより、ヒンジ部及びヒンジ装置の軽量化を図ることができる。
【０１０６】
本発明の態様７におけるヒンジ装置１０Ｃでは、前記第１筺体（ディスプレイ部３）は表示パネル３ａを備え、前記第２筺体（キーボード部２）は回路基板２ｂを備え、前記ヒンジ部１２は回転軸（ピン１２ａ）を備え、前記表示パネル３ａと前記回路基板２ｂとは、フレキシブル回路２ｃによって電気的に接続されていると共に、前記フレキシブル回路２ｃは、前記表示パネル３ａの幅の少なくとも半分以下の幅長さを有しており、かつ、回転軸（ピン１２ａ）の周りに該回転軸（ピン１２ａ）に固定しないように巻き付けられ、さらに、前記表示パネル３ａへ向かうフレキシブル回路２ｃと前記回路基板２ｂへ向かうフレキシブル回路２ｃとは互い違いに巻き付けられることが好ましい。
【０１０７】
これにより、第１筺体と第２筺体とを開閉してもフレキシブル回路がある張力を有して動作し、かつ、第１筺体と第２筺体との開閉動作をフレキシブル回路がアシストすることができる。この結果、フレキシブル回路に大きな張力が掛かって破れるのを防ぐことができる。
【０１０８】
本発明の態様８におけるヒンジ装置１０Ｃでは、前記表示パネル３０は、可撓性基板からなり、該可撓性基板にＴＦＴ層３１が設けられ、かつ該ＴＦＴ層３１の上に複数の光学素子３２が設けられており、さらに表示領域３０ａと該表示領域３０ａの外周を囲む額縁領域３０ｂとを有し、該額縁領域３０ｂの一端には前記フレキシブル回路２ｃからの信号を表示領域３０ａに入力する端子部３３が設けられ、該端子部３３と該表示領域３０ａとの間には折り曲げ部３４が設けられ、前記折り曲げ部３４には、前記ＴＦＴ層３１の少なくとも１層の無機絶縁膜にスリット３５が設けられ、かつ折り曲げ部３４において、前記額縁領域３０ｂが折り曲げられることによって前記端子部３３が表示パネル３０の裏面側を向くと共に、該表示パネル３０の裏面でフレキシブル回路２ｃと端子部３３とが接続されることが好ましい。
【０１０９】
これにより、表示パネルが、可撓性基板で形成されていたとしても、スリットを有する折り曲げ部により容易に折り曲げることができる。また、フレキシブル回路と表示パネルとを端子部にて容易に接続することができる。
【０１１０】
本発明の態様９におけるヒンジ装置１０Ｃでは、前記折り曲げ部３４は、前記Ｕ字状部１１の内部に形成される。
【０１１１】
これにより、折り曲げ部がＵ字状部の内部に隠れるので、折り曲げ部を見えなくすることができる。
【０１１２】
本発明の態様１０におけるヒンジ装置１０Ｃでは、前記ヒンジ部１２の回転軸（ピン１２ａ）から端子部３３方向に延伸する前記フレキシブル回路２ｃは、表示パネル３０と接する箇所で折り曲げられて、前記端子部と電気的に接続されることが好ましい。
【０１１３】
これにより、折り曲げ部にて折り返された表示パネルの端部に設けられた端子部とフレキシブル回路とが同一面になる。この結果、表示パネルの端子部とフレキシブル回路２ｃとを電気的に容易に接続することができる。
【０１１４】
本発明の態様１１におけるヒンジ装置１０Ａ・１０Ｂ・１０Ｃでは、前記ヒンジ部１２は、第１筺体（ディスプレイ部３）の裏面に設けられており、該第１筺体（ディスプレイ部３）を開蓋状態としたとき、該第１筺体（ディスプレイ部３）からヒンジ部１２が露出しない構成となっていることが好ましい。
【０１１５】
これにより、意匠性に優れたヒンジ装置を提供することができる。
【０１１６】
本発明の態様１２における電子機器（ノート型パソコン１Ａ・１Ｂ・１Ｃ）は、前記ヒンジ装置（ヒンジ装置１０Ａ・１０Ｂ・１０Ｃ）を備えていることを特徴としている。
【０１１７】
本構成によれば、簡単な構成で、第１筺体を開蓋状態としたときに正面斜め上方向からは第１筺体と第２筺体との間にヒンジ装置が見えず、かつ第１筺体の下端が第２筺体に隠れないようにし得るヒンジ装置を備えた電子機器を提供することができる。
【０１１８】
尚、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１１９】
１Ａ・１Ｂ      ノート型パソコン（電子機器）
２              キーボード部
２ａ            キーボード（第２筺体）
２ｂ            回路基板
２ｃ            フレキシブル回路
３              ディスプレイ部（第１筺体）
３ａ            表示パネル
３ｂ            ガラス板
１０Ａ・１０Ｂ    ヒンジ装置
１１              Ｕ字状部
１２              ヒンジ部
１２ａ            ピン（回転軸）
１２ｂ            Ｕ字状部側ピン支持部材
１２ｃ            ディスプレイ部側ピン支持部材
１３              凹部
１３ａ            円弧状凹部（凹部）
１３ｂ            矩形凹部（凹部）
３０              表示パネル
３０ａ            表示領域
３０ｂ            額縁領域
３３              端子部
３４              折り曲げ部
３５              スリット
【図１】
2019043825.tif 000003
【図２】
2019043825.tif 000004
【図３】
2019043825.tif 000005
【図４】
2019043825.tif 000006
【図５】
2019043825.tif 000007
【図６】
2019043825.tif 000008
【図７】
2019043825.tif 000009
【図８】
2019043825.tif 000010
【図９】
2019043825.tif 000011
【図１０】
2019043825.tif 000012
【図１１】
2019043825.tif 000013
【図１２】
2019043825.tif 000014
【手続補正書】
【提出日】令和2年2月10日(2020.2.10)
【手続補正１】
【補正対象書類名】明細書
【補正対象項目名】全文
【補正方法】変更
【補正の内容】
【発明の詳細な説明】
【技術分野】
【０００１】
本発明は、第１筐体と第２筐体との間に設けられ、第１筐体に対して第２筐体を開閉可能に連結するヒンジ装置及び電子機器に関するものである。
【背景技術】
【０００２】
キーボードを有する本体部とディスプレイ部とを備えるノート型パソコン等の電子機器では、ディスプレイ部の筐体が本体部の筐体にヒンジ装置で開閉可能に連結されている。ヒンジ装置は、２つの筐体の開閉の中心となる部分に設けられている。電子機器を使用しないときには、ヒンジ装置によってディスプレイ部を閉じて本体部に重ね合わせることにより、電子機器をコンパクトに折り畳むことができる。
【０００３】
近年、ディスプレイ技術が進化し、画面の４ 辺の所謂額縁幅が略０となる傾向にある。このような額縁幅が略０となるディスプレイ部を備えたノート型パソコンにおいては、従来のヒンジ装置を用いて、該ノート型パソコンを設計した場合、次の２つの問題が生じる可能性がある。
【０００４】
第１の問題は、図１１の（ａ）に示すように、開蓋状態としたときに、キーボードを有する本体部１０１の奥側にディスプレイ部１０２が存在する場合には、本体部１０１によってディスプレイ部１０２の画面の下端部が隠れるという問題である。
【０００５】
また、第２の問題は、図１１の（ｂ）に示すように、ディスプレイ部１０２を開蓋状態としたときに、キーボードを有する本体部１０１とディスプレイ部１０２との間にヒンジ装置１０３が見えるという問題である。
【０００６】
そこで、この問題を解決するために、例えば特許文献１に開示されたヒンジが知られている。
【０００７】
特許文献１に開示されたヒンジ２００は、図１２の（ａ）（ｂ）に示すように、ディスプレイ部２０２を開蓋状態としたときに、キーボードを有する本体部２０１の内部に挿入されて見えないようになっている。
【先行技術文献】
【特許文献】
【０００８】
【特許文献１】日本国公開特許公報「特開２０１２−１４１９１５号（２０１２年７月２６日公開）」
【発明の概要】
【発明が解決しようとする課題】
【０００９】
しかしながら、上記従来の特許文献１に開示されたヒンジ２００は、ディスプレイ部２０２を開蓋状態としたときに、キーボードを有する本体部２０１の内部に挿入されて見えないようにするために、複雑な構成を有している。
【００１０】
本発明は、前記従来の問題点に鑑みなされたものであって、その目的は、簡単な構成で、第１筺体を開蓋状態としたときに正面斜め上方向からは第１筺体と第２筺体との間にヒンジ装置が見えず、かつ第１筺体の下端が第２筺体に隠れないようにし得るヒンジ装置及び電子機器を提供することにある。
【課題を解決するための手段】
【００１１】
本発明の一態様におけるヒンジ装置は、前記の課題を解決するために、第１筐体と第２筐体との間に設けられ、第２筐体に対して第１筐体を開閉可能に連結するヒンジ装置において、前記第２筐体の後側に、一端部が該第２筐体に一体に形成される断面Ｕ字状のＵ字状部を備え、前記Ｕ字状部の他端部には、前記第２筐体に対して第１筐体を開閉すべく、該第１筐体の背面を支持し、該第１筐体を回転可能とするヒンジ部が設けられていると共に、前記Ｕ字状部の一端部には、前記第１筐体の回転時に該第１筐体の下端と該Ｕ字状部の一端部との接触を回避させる凹部が形成されていることを特徴としている。
【００１２】
本発明の一態様における電子機器は、前記の課題を解決するために、前記ヒンジ装置を備えていることを特徴としている。
【発明の効果】
【００１３】
本発明の一態様によれば、簡単な構成で、第１筺体を開蓋状態としたときに正面斜め上方向からは第１筺体と第２筺体との間にヒンジ装置が見えず、かつ第１筺体の下端が第２筺体に隠れないようにし得るヒンジ装置及び電子機器を提供するという効果を奏する。
【図面の簡単な説明】
【００１４】
【図１】本発明の実施形態１におけるヒンジ装置の構成を示す斜視図である、
【図２】（ａ）は前記電子機器の開蓋状態を示す斜視図であり、（ｂ）は電子機器の閉蓋状態を示す斜視図である。
【図３】（ａ）は前記電子機器の閉蓋状態を示す要部断面図であり、（ｂ）は電子機器の閉蓋状態から開蓋状態への遷移状態を示す要部断面図であり、（ｃ）は電子機器の開蓋状態を示す要部断面図である、
【図４】（ａ）は前記電子機器のフレキシブル回路の構成を示す斜視図であり、（ｂ）は一般的なフレキシブル回路の構成を示す斜視図である。
【図５】（ａ）（ｂ）は、本発明の実施形態１におけるヒンジ装置の変形例の構成を示す斜視図である、
【図６】（ａ）（ｂ）は、本発明の実施形態１におけるヒンジ装置の他の変形例の構成を示す斜視図である、
【図７】本発明の実施形態１におけるヒンジ装置のさらに他の変形例の構成を示す断面図である、
【図８】本発明の実施形態２における電子機器のヒンジ装置の構成を示すものであって、電子機器の開蓋状態を示す断面図である。
【図９】（ａ）は本発明の実施形態３における電子機器のヒンジ装置の構成を示す斜視図であり、（ｂ）は前記電子機器の表示パネルの構成を示す断面図である。
【図１０】前記表示パネルの折り曲げ部及びフレキシブル回路の構成を示す斜視図である。
【図１１】（ａ）は従来の電子機器を開蓋状態としたときに、ディスプレイ部の下端が本体部で隠れている状態の電子機器を示す斜視図であり、（ｂ）は従来の電子機器を開蓋状態としたときに、ディスプレイ部と本体部との間に隙間及びヒンジが見えている状態の電子機器を示す斜視図である。
【図１２】（ａ）は従来の他の電子機器における開蓋状態を示す断面図であり、（ｂ）は前記他の従来の電子機器における閉蓋状態を示す断面図である。
【発明を実施するための形態】
【００１５】
〔実施の形態１〕
本発明の一実施形態について図１〜図７に基づいて説明すれば、以下のとおりである。
【００１６】
本実施の形態のヒンジ装置１０Ａを備えた電子機器としてのノート型パソコン１Ａの構
成について、図２の（ａ）（ｂ）に基づいて説明する。尚、本実施の形態では、電子機器としてのノート型パソコン１Ａを例示して説明するが、電子機器は必ずしもノート型パソコン１Ａに限らず、例えば、携帯電話等であってもよい。図２の（ａ）は、本実施の形態のノート型パソコン１Ａの構成を示すものであって、ノート型パソコン１Ａの開蓋状態を示す斜視図である。図２の（ｂ）は、ノート型パソコン１Ａの構成を示すものであって、ノート型パソコン１Ａの閉蓋状態を示す斜視図である。
【００１７】
本実施の形態のヒンジ装置１０Ａを備えた電子機器としてのノート型パソコン１Ａは、図２の（ａ）（ｂ）に示すように、第２筐体としてのキーボード部２と、第１筐体としてのディスプレイ部３とを備えている。
【００１８】
キーボード部２は、例えばキーボード２ａを有しており、文字等を入力することができるようになっている。尚、本実施の形態のキーボード部２は例えば物理キーとしてのキーボード２ａを有している。しかし、本実施の形態のキーボード部２は、必ずしも物理キーとしてのキーボード２ａを有していなくてもよい。例えば、キーが、タッチディスプレイやタッチ式シートキーのようなものであってもよい。
【００１９】
ディスプレイ部３は表示パネル３ａを備えており、表示パネル３ａは例えば有機ＥＬディスプレイからなっている。しかし、本発明の一態様における第１筐体は、必ずしもこれに限らず、光学素子を備えた表示パネルであれば、特に限定されるものではない。上記光学素子は、電流によって輝度や透過率が制御される光学素子と、電圧によって輝度や透過率が制御される光学素子とがある。電流制御の光学素子としては、ＯＬＥＤ（Organic Light Emitting Diode：有機発光ダイオード）を備えた有機ＥＬ（Electro Luminescence：エレクトロルミネッセンス）ディスプレイ、又は無機発光ダイオードを備えた無機ＥＬディスプレイ等のＥＬディスプレイ、ＱＬＥＤ（Quantum dot Light Emitting Diode：量子ドット発光ダイオード）を備えたＱＬＥＤディスプレイ等がある。また、電圧制御の光学素子としては、液晶表示素子等がある。
【００２０】
本実施の形態では、特に、ディスプレイ部３の全面が表示画面となっており、画面の周辺端部に所謂額縁が無いものとなっている。キーボード部２の寸法は、例えば、横３００〜３５０ｍｍ、縦１７０〜２００ｍｍ、厚さ６〜７ｍｍであり、ディスプレイ部３の寸法は、例えば、横３００〜３５０ｍｍ、縦１７０〜２００ｍｍ、厚さ３．５〜４．５ｍｍである。尚、これらの数値は、あくまでも例示である。例えば、キーボード部２及びディスプレイ部３の厚さが異なれば、ヒンジ装置１０Ａの寸法も異なってくる。
【００２１】
このように、本実施の形態のノート型パソコン１Ａにおけるキーボード部２及びディスプレイ部３は、ディスプレイ部３に所謂額縁が無い点を除いては、一般的のノート型パソコンの構成と同じである。尚、本実施の形態では、ディスプレイ部３に所謂額縁が全く存在していないが、本発明の一態様においては、所謂額縁が全く存在しない場合に限らず、所謂額縁が小さい場合も含む。
【００２２】
前記キーボード部２とディスプレイ部３との間には、キーボード部２に対してディスプレイ部３を開閉可能に連結するヒンジ装置１０Ａが設けられている。
【００２３】
本実施の形態のヒンジ装置１０Ａの構成の詳細について、図１、図３の（ａ）（ｂ）（ｃ）及び図４の（ａ）（ｂ）に基づいて説明する。図１は、本実施の形態におけるヒンジ装置１０Ａの構成を示す斜視図である、図３の（ａ）は、本実施の形態におけるノート型パソコン１Ａの閉蓋状態を示す要部断面図である。図３の（ｂ）は、電子機器の閉蓋状態から開蓋状態への遷移状態を示す要部断面図である。図３の（ｃ）は、電子機器の開蓋状態を示す要部断面図である。図４の（ａ）は、ノート型パソコン１Ａのフレキシブル回路
２ｃの構成を示す斜視図である。図４の（ｂ）は、一般的なフレキシブル回路の構成を示す斜視図である。
【００２４】
本実施の形態のヒンジ装置１０Ａは、図３の（ａ）（ｂ）（ｃ）に示すように、キーボード部２の後側に、一端部がキーボード部２に一体に形成される断面Ｕ字状のＵ字状部１１を備えている。尚、本発明の一態様においては、ヒンジ装置１０ＡのＵ字状部１１は、キーボード部２とは一体成形で形成されており、Ｕ字状部１１の一端部とキーボード部２の奥側端との間に継ぎ目はない。しかし、本発明の一態様においては、必ずしもＵ字状部１１をキーボード部２に一体成形で形成することにより、Ｕ字状部１１をキーボード部２と一体に形成する必要はない。例えば、Ｕ字状部１１とキーボード部２とは互いに別体に設けられ、キーボード部２の後側に、Ｕ字状部１１の一端部が、例えば、ネジ止め、接着、溶着等によって接合されることにより、Ｕ字状部１１がキーボード部２に一体化されていてもよい。
【００２５】
前記Ｕ字状部１１は、内寸幅が例えば４．５〜５．５ｍｍであり、Ｕ字状部１１の最奥面から後述するヒンジ部１２のピン１２ａの中心までの寸法は、例えば５．０〜６．５ｍｍである。ただし、Ｕ字状部１１の最奥面からヒンジ部１２のピン１２ａの中心までの寸法は、これよりも大きくなってもよい。
【００２６】
本実施の形態のＵ字状部１１の他端には、ディスプレイ部３を開閉すべく、ディスプレイ部３の背面を支持し、かつディスプレイ部３を回転可能とするヒンジ部１２が設けられている。
【００２７】
ヒンジ部１２は、図３の（ａ）に示すように、回転軸であるピン１２ａと、図２の（ｂ）に示すように、Ｕ字状部１１に固定され２つのＵ字状部側ピン支持部材１２ｂと、ディスプレイ部３に固定され、前記２つのＵ字状部側ピン支持部材１２ｂ・１２ｂの間に設けられたディスプレイ部側ピン支持部材１２ｃとから構成されている。Ｕ字状部側ピン支持部材１２ｂ・１２ｂ及びディスプレイ部側ピン支持部材１２ｃは、ピン１２ａを回動自在に支持している。尚、本実施の形態では、両側に存在するＵ字状部側ピン支持部材１２ｂ・１２ｂがＵ字状部１１に支持固定され、間に挟まれるディスプレイ部側ピン支持部材１２ｃがディスプレイ部３に支持固定されている。しかし、必ずしもこれに限らず、各ピン支持部材がこの逆であってもよい。
【００２８】
ここで、本実施の形態のヒンジ装置１０Ａでは、ヒンジ部１２は、ディスプレイ部３の下端から上端方向にずれた位置でディスプレイ部３の背面を支持している。具体的には、ディスプレイ部３の下端とヒンジ部１２の回転軸であるピン１２ａの中心位置との距離は、例えば４．５〜６．０ｍｍとなっている。例えば、ヒンジ部がディスプレイ部３の下端位置で該ディスプレイ部３の背面を支持している場合には、キーボード部２に対してディスプレイ部３を開蓋状態にしたときに、ディスプレイ部３の下端とキーボード部２の奥側端との間の距離が大きくなる。このため、ディスプレイ部３を開蓋状態としたときに、正面斜め上方向からはディスプレイ部３とキーボード部２との間にヒンジ装置が見える可能性がある。また、ディスプレイ部３の下端とキーボード部２の奥側端との間で指を挟む等の問題も生じる。
【００２９】
しかし、本実施の形態では、ヒンジ部１２は、ディスプレイ部３の下端から上端方向にずれた位置でディスプレイ部３の背面を支持している。このため、ディスプレイ部３を開蓋状態としたときに、正面斜め上方向からはディスプレイ部３とキーボード部２との間にヒンジ装置１０Ａが見えたり、ディスプレイ部３の下端とキーボード部２の奥側端との間で指を挟んだりするというような問題が生じる可能性は小さい。
【００３０】
すなわち、例えば、ディスプレイ部３の開蓋状態のときに、キーボード部２の表面に平行な方向から見た場合には、ヒンジ装置１０Ａが見えると考えられる。しかし、操作者は、ノート型パソコン１Ａの通常の使用時においては、そのような角度では見ないはずであり、ノート型パソコン１Ａを正面上側から見るはずである。このため、ノート型パソコン１Ａを正面上側から見たときに、ヒンジ装置１０Ａが見えなければ、操作者はヒンジ装置１０Ａを気にすることなく操作すると判断される。
【００３１】
この結果、本発明の一態様においては、操作者の通常の使用時である正面上側から見たときに、ヒンジ装置１０Ａが見えていなければよいとするものである。尚、本実施の形態のノート型パソコン１Ａにおいては、ディスプレイ部３を通常使用時の開蓋状態とした場合のキーボード部２とディスプレイ部３との距離は例えば約４ｍｍとなっている。
【００３２】
尚、ヒンジ部１２とディスプレイ部３の下端との距離が長くなると、Ｕ字状部１１の奥行長さが大きくなる。
【００３３】
また、本実施の形態におけるヒンジ装置１０Ａでは、ヒンジ部１２における、ディスプレイ部３とキーボード部２との回転軸であるピン１２ａに平行な方向の長さは、ディスプレイ部３の長さの一部となっている。
【００３４】
これにより、ヒンジ部１２及びヒンジ装置１０Ａの軽量化を図ることができる。また、意匠として美観を有している。さらに、Ｕ字状部１１を取っ手としてノート型パソコン１Ａを把持することが可能である。また、例えば、キーボード部２の奥側の一部にバッテリ等を搭載する場合においても、そのバッテリの搭載位置を避けてヒンジ部１２を設けることが可能となる。
【００３５】
尚、本実施の形態では、ディスプレイ部３とキーボード部２との回転軸であるピン１２ａに平行な方向の長さは、ディスプレイ部３の長さの一部となっているが、本発明の一態様においては、必ずしもこれに限らない。例えば、ヒンジ部１２におけるピン１２ａに平行な方向の長さとして、ディスプレイ部３の長さの全部とすることができる。これにより、ヒンジ部１２におけるディスプレイ部３及びキーボード部２の支持力が高まる。また、ヒンジ装置１０Ａがディスプレイ部３及びキーボード部２と一体となるので、ノート型パソコン１Ａの開蓋状態及び閉蓋状態のいずれにおいてもヒンジ装置１０Ａを目立たなくすることが可能である。
【００３６】
また、本実施の形態のノート型パソコン１Ａにおいては、図３の（ａ）に示すように、キーボード部２の内部に、回路基板２ｂが設けられている。そして、回路基板２ｂの端部には、フレキシブル回路２ｃが接続されており、フレキシブル回路２ｃは、Ｕ字状部１１の内部を通って、ディスプレイ部３の内部に設けられた表示パネル３ａに接続されている。
【００３７】
本実施の形態では、フレキシブル回路２ｃは、表示パネル３ａの幅の少なくとも半分以下の幅長さを有していると共に、ヒンジ部１２の回転軸としてのピン１２ａの周りに該ピン１２ａに固定しないように巻き付けられている。
【００３８】
ここで、一般的に、フレキシブル回路を巻回する場合には、図４の（ｂ）に示すように、フレキシブル回路の両側の自由端を揃えるようにする。しかし、本実施の形態では、図４の（ａ）に示すように、フレキシブル回路２ｃの両側の自由端が互い違いになるようにしている。これにより、フレキシブル回路２ｃに大きな弾性を付与することが可能となり、ノート型パソコン１Ａのディスプレイ部３の開閉が容易となるようにしている。
【００３９】
ディスプレイ部３の表面には、ガラス板３ｂが保護部材として設けられている。Ｕ字状部１１の内部幅は、例えば５．０〜６．０ｍｍとなっている。
【００４０】
ところで、本実施の形態のヒンジ装置１０Ａにおいて、キーボード部２に対してディスプレイ部３を開閉すべく、ディスプレイ部３を回動することを考える。この場合、ディスプレイ部３の下端とキーボード部２の奥側端との間に十分な距離があるときには、ディスプレイ部３を自由に回動してキーボード部２に対してディスプレイ部３を自由に開閉することができる。しかし、そのように設計した場合には、キーボード部２に対してディスプレイ部３を開蓋状態にしたときに、ディスプレイ部３の下端とキーボード部２の奥側端との間に隙間が空き、見苦しくなる。
【００４１】
ここで、本実施の形態のノート型パソコン１Ａでは、ディスプレイ部３には所謂額縁が存在しない。このため、ディスプレイ部３の開蓋状態においては、正面斜め上方向から見たときに、ディスプレイ部３の下端がキーボード部２に隠れないようにすることが好ましい。
【００４２】
ここで、キーボード部２に対してディスプレイ部３を開蓋状態にして正面斜め上方向から見たときに、前記好ましい条件を満たし、かつディスプレイ部３の下端とキーボード部２の奥側端との間に隙間ができないようにするためには、ディスプレイ部３の下端とキーボード部２の奥側端とをできるだけ近づけなければならない。
【００４３】
しかし、そのように設計した場合には、ディスプレイ部３の回動中にディスプレイ部３の下端がＵ字状部１１の一端部に接触する。
【００４４】
そこで、本実施の形態におけるヒンジ装置１０Ａでは、図１に示すように、Ｕ字状部１１の一端部には、ディスプレイ部３の回転時にディスプレイ部３の下端とＵ字状部１１の一端部との接触を回避させる凹部１３が形成されている。これにより、キーボード部２に対してディスプレイ部３を開蓋状態にしたときに、ディスプレイ部３の下端とキーボード部２の奥側端とをできるだけ近づけたとしても、ディスプレイ部３の回転時にディスプレイ部３の下端がＵ字状部１１の一端部に接触しない。この結果、ディスプレイ部３を問題なく回転させることができる。
【００４５】
ここで、本実施の形態では、凹部１３は、特に、断面形状が円弧状の円弧状凹部１３ａとなっている。この円弧状凹部１３ａの曲率は、ディスプレイ部３の回転半径に沿う断面円弧状となっている。この結果、凹部１３の断面を小さくすることができるので、ヒンジ装置１０Ａの強度が低下するのを防止することができる。
【００４６】
本実施の形態のヒンジ装置１０Ａを備えたノート型パソコン１Ａの開蓋動作について、図３の（ａ）（ｂ）（ｃ）に基づいて説明する。
【００４７】
図３の（ａ）に示すように、ディスプレイ部３の閉蓋状態においては、ディスプレイ部３はキーボード部２に対して平行となるように折り畳まれている。このとき、ヒンジ装置１０Ａのヒンジ部１２は、ディスプレイ部３の端部に載っているような状態となっている。
【００４８】
この状態から、ディスプレイ部３を開蓋状態にするには、ディスプレイ部３をヒンジ部１２のピン１２ａを中心に回動させる。このとき、図３の（ｂ）に示すように、Ｕ字状部１１の一端部には円弧状凹部１３ａが形成されている。このため、ディスプレイ部３の下端がＵ字状部１１の一端部に接触しないので、図３の（ｃ）に示すように、操作者は、ディスプレイ部３を、見易い角度となるように、問題なく回転させることができる。また、
このディスプレイ部３の回転による該ディスプレイ部３の開蓋動作によって、操作者が正面から見ている状態においては、ヒンジ部１２がディスプレイ部３の背面に隠れるようになる。かつ、操作者が正面から見ている状態においては、ディスプレイ部３の端部とキーボード部２の奥端部との間には何も存在しないように見える。逆に、ディスプレイ部３がキーボード部２に載っているように見える。
【００４９】
これにより、図２の（ａ）に示すように、ディスプレイ部３を開蓋状態にしたときに、ノート型パソコン１Ａを正面斜め上方から見たときに、ディスプレイ部３とキーボード部２との間にヒンジ装置が見えず、かつディスプレイ部３の下端がキーボード部２に隠れないようにすることができる。
【００５０】
このように、本実施の形態におけるヒンジ装置１０Ａは、第１筐体としてのディスプレイ部３と第２筐体としてのキーボード部２との間に設けられ、キーボード部２に対してディスプレイ部３を開閉可能に連結する。そして、キーボード部２の後側に、一端部がキーボード部２に一体に形成される断面Ｕ字状のＵ字状部１１を備える。Ｕ字状部１１の他端部には、キーボード部２に対してディスプレイ部３を開閉すべく、ディスプレイ部３の背面を支持し、ディスプレイ部３を回転可能とするヒンジ部１２が設けられている。Ｕ字状部１１の一端部には、ディスプレイ部３の回転時にディスプレイ部３の下端とＵ字状部１１の一端部との接触を回避させる凹部１３が形成されている。
【００５１】
これにより、キーボード部２に対してディスプレイ部３を開蓋状態にしたときに、ディスプレイ部３の下端とキーボード部２の奥側端とをできるだけ近づけたとしても、Ｕ字状部１１の一端部には、凹部１３が形成されているので、ディスプレイ部３を回転させることができる。
【００５２】
また、ヒンジ装置１０Ａは、一端部に凹部１３を形成しかつ他端部にヒンジ部１２を備えたＵ字状部１１にて構成されており、構成は簡単である。具体的には、ヒンジ装置１０Ａは、ディスプレイ部３を回動させるヒンジ部１２が一箇所のみであり、かつそのヒンジ部１２はディスプレイ部３の背面に存在しており、さらにＵ字状部１１の一端部に凹部１３を形成しただけである。
【００５３】
したがって、簡単な構成で、ディスプレイ部３を開蓋状態としたときに正面斜め上方向からはディスプレイ部３とキーボード部２との間にヒンジ装置１０Ａが見えず、かつディスプレイ部３の下端がキーボード部２に隠れないようにし得るヒンジ装置１０Ａを提供することができる。この結果、美観上優れた意匠を実現することができる。
【００５４】
また、本実施の形態におけるヒンジ装置１０Ａでは、ヒンジ部１２は、ディスプレイ部３の下端から上端方向にずれた位置でディスプレイ部３の背面を支持している。このため、ディスプレイ部３を開蓋状態としたときに、正面斜め上方向から、ディスプレイ部３とキーボード部２との間にヒンジ装置１０Ａが見えたり、ディスプレイ部３の下端とキーボード部２の奥側端との間で指を挟んだりする可能性は小さい。
【００５５】
また、本実施の形態におけるヒンジ装置１０Ａでは、凹部１３、断面円弧状の円弧状凹部１３ａにて形成されている。この結果、凹部１３の断面を小さくすることができるので、ヒンジ装置１０Ａの強度が低下するのを防止することができる。
【００５６】
また、本実施の形態におけるヒンジ装置１０Ａでは、ヒンジ部１２における、ディスプレイ部３とキーボード部２との回転軸であるピン１２ａに平行な方向の長さは、ディスプレイ部３の長さの全部又は一部となっている。
【００５７】
これにより、ヒンジ部１２におけるピン１２ａに平行な方向の長さとして、ディスプレイ部３の幅方向の長さの全部とすることができる。このため、ヒンジ部１２におけるディスプレイ部３及びキーボード部２の支持力が高まる。また、ヒンジ部１２におけるピン１２ａに平行な方向の長さは、ディスプレイ部３の幅方向の長さの一部でもよい。このため、ヒンジ部１２及びヒンジ装置１０Ａの軽量化を図ることができる。
【００５８】
また、本実施の形態におけるヒンジ装置１０Ａでは、ディスプレイ部３は表示パネル３ａを備え、キーボード部２は回路基板２ｂを備え、ヒンジ部１２は回転軸としてのピン１２ａを備えている。また、表示パネル３ａと回路基板２ｂとは、フレキシブル回路２ｃによって電気的に接続されている。さらに、フレキシブル回路２ｃは、表示パネル３ａの幅の少なくとも半分以下の幅長さを有していると共に、回転軸としてのピン１２ａの周りに該ピン１２ａに固定しないように巻き付けられている。また、表示パネル３ａへ向かうフレキシブル回路２ｃと回路基板２ｂへ向かうフレキシブル回路２ｃとは互い違いに巻き付けられる。
【００５９】
これにより、ディスプレイ部３とキーボード部２とを開閉してもフレキシブル回路２ｃがある張力を有して動作する。このため、ディスプレイ部３とキーボード部２との開閉動作をフレキシブル回路２ｃがアシストする。この結果、フレキシブル回路２ｃに大きな張力が掛かって破れるのを防ぐことができる。
【００６０】
また、本実施の形態におけるヒンジ装置１０Ａでは、ヒンジ部１２は、ディスプレイ部３の裏面に設けられており、ディスプレイ部３を開蓋状態としたとき、ディスプレイ部３からヒンジ部１２が露出しない構成となっている。これにより、意匠性に優れたヒンジ装置１０Ａを提供することができる。
【００６１】
また、本実施の形態における電子機器としてのノート型パソコン１Ａは、本実施の形態のヒンジ装置１０Ａを備えている。これにより、簡単な構成で、ディスプレイ部３を開蓋状態としたときに正面斜め上方向からはディスプレイ部３とキーボード部２との間にヒンジ装置１０Ａが見えず、かつディスプレイ部３の下端がキーボード部２に隠れないようにし得るヒンジ装置１０Ａを備えたノート型パソコン１Ａを提供することができる。
【００６２】
尚、本発明の一態様においては、上記の実施の形態に限定されるものではなく、本発明の範囲内で種々の変更が可能である。例えば、上記実施の形態では、凹部１３は円弧状凹部１３ａからなっている。つまり、円弧は１つとなっている。しかし、本発明の一態様においては、必ずしもこれに限らず、例えばキーボード部２側において１つの円弧状凹部１３ａに連続して円弧を設けた断面Ｓ字状凹部とすることが可能である。これにより、キーボード部２の上面と凹部１との接続面を滑らかなものとすることができる。
【００６３】
また、本実施の形態では、ヒンジ部１２はキーボード部２の奥端部に配置されている。しかし、必ずしもこれに限らず、ヒンジ部１２をキーボード部２のもう少し前面側に配置することも可能である、これにより、例えば、ヒンジ部１２の後端部側にバッテリ等を配置することが可能となる。
【００６４】
ここで、本実施の形態のヒンジ装置１０Ａの変形例について、図示して各種説明する。例えば、ヒンジ装置１０Ａの変形例として、図５の（ａ）に示すように、ヒンジ部１２の位置を、ディスプレイ部３の内側に配することが可能である。
【００６５】
また、図５の（ｂ）は、ヒンジ部１２の後端部側に前述したバッテリ等を配置した形状を示すものである。
【００６６】
さらに、図６の（ａ）に示すように、図１に比べて、ヒンジ部１２の幅を広くし、ヒンジ部１２の幅とキーボード部２及びディスプレイ部３との幅を例えば同じにすることができる。
【００６７】
また、図６の（ｂ）に示すように、ヒンジ部１２の位置を、ディスプレイ部３の内側に配することも可能である。
【００６８】
さらに、図６の（ａ）は、図５の（ａ）に示すヒンジ部１２の位置を、ディスプレイ部３の内側に配したタイプにおいて、図１に比べて、ヒンジ部１２の幅を広くし、ヒンジ部１２の幅とキーボード部２及びディスプレイ部３との幅を例えば同じにしたものである。
【００６９】
さらに、図７に示すように、ディスプレイ部３の後端側の厚さを前端側の厚さよりも厚く形成することが可能である。これにより、ヒンジ部１２とディスプレイ部３との間に段差ができるのを回避することができる。
【００７０】
〔実施の形態２〕
本発明の他の実施の形態について図８に基づいて説明すれば、以下のとおりである。尚、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００７１】
前記実施の形態１におけるノート型パソコン１Ａのヒンジ装置１０Ａは、Ｕ字状部１１の一端部に形成された凹部１３は、円弧状凹部１３ａからなっていた。これに対して、本実施の形態のノート型パソコン１Ｂのヒンジ装置１０Ｂは、Ｕ字状部１１の一端部に形成された凹部１３は、矩形凹部１３ｂからなっている点が異なっている。
【００７２】
本実施の形態のノート型パソコン１Ｂのヒンジ装置１０Ｂの構成について、図８に基づいて説明する。図８は、本実施の形態におけるノート型パソコン１Ｂのヒンジ装置１０Ｂの構成を示すものであって、ノート型パソコン１Ｂの開蓋状態を示す断面図である。
【００７３】
本実施の形態のヒンジ装置１０Ｂは、図８に示すように、凹部１３は、断面形状が矩形条に形成されており、矩形状凹部１３ｂとなっている。尚、矩形状凹部１３ｂは、必ずしも長方形、正方形等の矩形に限らず、台形等の矩形でもよい。
【００７４】
この矩形状凹部１３ｂは、凹部１３を形成する場合には、直線加工とすることができる。この結果、凹部１３を形成する場合に、加工が容易であるというメリットがある。
【００７５】
〔実施の形態３〕
本発明のさらに他の実施の形態について図９及び図１０に基づいて説明すれば、以下のとおりである。尚、本実施の形態において説明すること以外の構成は、前記実施の形態１・２と同じである。また、説明の便宜上、前記の実施の形態１・２の図面に示した部材と同一の機能を有する部材については、同一の符号を付し、その説明を省略する。
【００７６】
前記実施の形態１・２におけるノート型パソコン１Ａ・１Ｂでは、ディスプレイ部３の表示パネル３ａは、硬質基板からなっていた。これに対して、本実施の形態におけるノート型パソコン１Ｃでは、表示パネル３０が可撓性基板からなっている点が異なっている。
【００７７】
すなわち、表示パネル３０が可撓性基板からなっている場合には、第２筐体としてのキーボード部２と第１筐体としての表示パネル３０とを接続するフレキシブル回路２ｃを如何にして表示パネル３０に接続するかが問題となる。本実施の形態では、表示パネル３０
が可撓性基板からなっている場合における、フレキシブル回路２ｃの表示パネル３０への接続方法について説明する。
【００７８】
本実施の形態のノート型パソコン１Ｃのヒンジ装置１０Ｃの構成について、図９の（ａ）（ｂ）及び図１０に基づいて説明する。図９の（ａ）は、本実施の形態のノート型パソコン１Ｃのヒンジ装置１０Ｃの構成を示す断面図である。図９の（ｂ）は、ノート型パソコン１Ｃの表示パネル３０の構成を示す断面図である。尚、図９の（ｂ）は、表示パネル３０が額縁領域３０ｂで折り返されず、表示領域３０ａと額縁領域３０ｂとが同一面に展開された状態を示している。図１０は表示パネル３０の折り曲げ部３４及びフレキシブル回路２ｃの構成を示す斜視図である。
【００７９】
図９の（ａ）（ｂ）及び図１０に示すように、本実施の形態におけるノート型パソコン１Ｃのヒンジ装置１０Ｃでは、ディスプレイ部３の表示パネル３０は、可撓性基板からなっている。
【００８０】
表示パネル３０には、基板上にＴＦＴ層３１が設けられ、かつ該ＴＦＴ層３１の上に複数の光学素子３２が設けられている。また、表示パネル３０は、表示領域３０ａと該表示領域３０ａの外周を囲む額縁領域３０ｂを有している。
【００８１】
額縁領域３０ｂの一端にはフレキシブル回路２ｃからの信号を表示領域３０ａに入力する端子部３３が設けられ、該端子部３３と該表示領域３０ａとの間には折り曲げ部３４が設けられている。折り曲げ部３４には、ＴＦＴ層３１の少なくとも１層の無機絶縁膜にスリット３５が設けられている。そして、折り曲げ部３４においては、額縁領域３０ｂが折り曲げられることによって端子部３３が表示パネル３０の裏面側を向く。これにより、表示パネル３０の裏面でフレキシブル回路２ｃと端子部３３とが接続される。
【００８２】
この結果、表示パネル３０が、可撓性基板で形成されていたとしても、スリット３５を有する折り曲げ部３４により容易に折り曲げることができる。また、フレキシブル回路２ｃと表示パネル３０とを端子部３３にて容易に接続することができる。
【００８３】
また、本実施の形態では、折り曲げ部３４は、Ｕ字状部１１の内部に形成される。これにより、折り曲げ部３４がＵ字状部１１の内部に隠れるので、折り曲げ部３４を見えなくすることができる。
【００８４】
また、本実施の形態のヒンジ装置１０Ｃでは、ヒンジ部１２のピン１２ａから端子部３３方向に延伸するフレキシブル回路２ｃは、表示パネル３０に対して略垂直に垂れ下がってくると共に、表示パネル３０と接する箇所で折り曲げられて、端子部３３と電気的に接続される。これにより、折り曲げ部３４にて折り返された表示パネル３０の端部に設けられた端子部３３とフレキシブル回路２ｃの端部とが同一面になる。この結果、表示パネル３０の端子部３３とフレキシブル回路２ｃとを電気的に容易に接続することができる。
【００８５】
〔まとめ〕
本発明の態様１におけるヒンジ装置１０Ａ・１０Ｂ・１０Ｃは、第１筐体（ディスプレイ部３）と第２筐体（キーボード部２）との間に設けられ、第２筐体（キーボード部２）に対して第１筐体（ディスプレイ部３）を開閉可能に連結するヒンジ装置において、前記第２筐体（キーボード部２）の後側に、一端部が該第２筐体（キーボード部２）に一体に形成される断面Ｕ字状のＵ字状部１１を備え、前記Ｕ字状部１１の他端部には、前記第２筐体（キーボード部２）に対して第１筐体（ディスプレイ部３）を開閉すべく、該第１筐体（ディスプレイ部３）の背面を支持し、該第１筐体（ディスプレイ部３）を回転可能とするヒンジ部１２が設けられていると共に、前記Ｕ字状部１１の一端部には、前記第１筐
体（ディスプレイ部３）の回転時に該第１筐体（ディスプレイ部３）の下端と該Ｕ字状部１１の一端部との接触を回避させる凹部１３が形成されていることを特徴としている。
【００８６】
本構成によれば、ヒンジ装置は、第２筐体の後側に、一端部が該第２筐体に一体に形成される断面Ｕ字状のＵ字状部を備えている。そして、Ｕ字状部の他端部には、第２筐体に対して第１筐体を開閉すべく、該第１筐体の背面を支持し、該第１筐体を回転可能とするヒンジ部が設けられている。
【００８７】
このようなヒンジ装置において、第２筐体に対して第１筐体を開閉すべく、第１筐体を回動することを考える。この場合、第１筐体の下端と第２筐体の奥側端との間に十分な距離があるときには、第１筐体を自由に回動して第２筐体に対して第１筐体を自由に開閉することができる。しかし、そのように設計した場合には、第２筐体に対して第１筐体を開蓋状態にしたときに、第１筐体の下端と第２筐体の奥側端との間に隙間が空き、見苦しくなる。
【００８８】
一方、近年では、第１筺体が表示画面である場合に所謂額縁が小さいか又は無くなる傾向にある。このような第１筺体では、第２筐体に対して第１筐体を開蓋状態にして正面斜め上方向から見たときに、第１筺体の下端が第２筺体に隠れないようにすることが好ましい。
【００８９】
第２筐体に対して第１筐体を開蓋状態にして正面斜め上方向から見たときに、前記条件を満たし、かつ第１筐体の下端と第２筐体の奥側端との間に隙間ができないようにするためには、第１筐体の下端と第２筐体の奥側端とをできるだけ近づけなければならない。
【００９０】
しかし、そのように設計した場合には、第１筐体の回動中に第１筐体の下端がＵ字状部の一端部に接触する。
【００９１】
そこで、本発明の一態様におけるヒンジ装置では、Ｕ字状部の一端部には、第１筐体の回転時に該第１筐体の下端と該Ｕ字状部の一端部との接触を回避させる凹部が形成されている。
【００９２】
これにより、第２筐体に対して第１筐体を開蓋状態にしたときに、第１筐体の下端と第２筐体の奥側端とをできるだけ近づけたとしても、第１筐体を回転させることができる。
【００９３】
また、本ヒンジ装置は、一端部に凹部を形成しかつ他端部にヒンジ部を備えたＵ字状部にて構成されており、構成は簡単である。具体的には、ヒンジ装置は、第１筐体を回動させるヒンジ部が一箇所のみであり、かつそのヒンジ部は第１筐体の背面に存在しており、さらにＵ字状部の一端部に凹部を形成しただけである。
【００９４】
したがって、簡単な構成で、第１筺体を開蓋状態としたときに正面斜め上方向からは第１筺体と第２筺体との間にヒンジ装置が見えず、かつ第１筺体の下端が第２筺体に隠れないようにし得るヒンジ装置及び電子機器を提供することができる。
【００９５】
本発明の態様２におけるヒンジ装置１０Ａ・１０Ｂ・１０Ｃでは、前記ヒンジ部１２は、前記第１筐体（ディスプレイ部３）の下端から上端方向にずれた位置で該第１筐体（ディスプレイ部３）の背面を支持していることが好ましい。
【００９６】
例えば、ヒンジ部が第１筐体の下端位置で該第１筐体の背面を支持している場合には、第２筐体に対して第１筐体を開蓋状態にしたときに、第１筐体の下端と第２筐体の奥側端との間の距離が大きくなる。このため、第１筺体を開蓋状態としたときに、正面斜め上方
向からは第１筺体と第２筺体との間にヒンジ装置が見える可能性がある。また、第１筐体の下端と第２筐体の奥側端との間で指を挟む等の問題も生じる。
【００９７】
この点、本発明の一態様におけるヒンジ装置では、ヒンジ部は、第１筐体の下端から上端方向にずれた位置で該第１筐体の背面を支持している。このため、そのような問題が生じる可能性は小さい。
【００９８】
本発明の態様３におけるヒンジ装置１０Ａでは、前記凹部１３（円弧状凹部１３ａ）は、断面円弧状に形成されている。
【００９９】
これにより、凹部の形状として、第１筺体の回転半径に沿う断面円弧状とすることができる。この結果、凹部の断面を小さくすることができるので、ヒンジ装置の強度が低下するのを防止することができる。
【０１００】
本発明の態様４におけるヒンジ装置１０Ｂでは、前記凹部１３（矩形状凹部１３ｂ）は、断面矩形状に形成されている。
【０１０１】
これにより、凹部を、断面矩形状に形成する場合には、加工が容易となる。
【０１０２】
本発明の態様５におけるヒンジ装置１０Ａ・１０Ｂ・１０Ｃでは、前記ヒンジ部１２における、前記第１筐体（ディスプレイ部３）と第２筐体（キーボード部２）との回転軸（ピン１２ａ）に平行な方向の長さは、第１筐体（ディスプレイ部３）の長さの全部となっているとすることができる。
【０１０３】
これにより、ヒンジ部における回転軸に平行な方向の長さとして、第１筐体の幅方向の長さの全部とすることができる。このため、ヒンジ部における第１筐体及び第２筐体の支持力が高まる。
【０１０４】
本発明の態様６におけるヒンジ装置１０Ａ・１０Ｂ・１０Ｃでは、前記ヒンジ部１２における、前記第１筐体（ディスプレイ部３）と第２筐体（キーボード部２）との回転軸（ピン１２ａ）に平行な方向の長さは、第１筐体（ディスプレイ部３）の長さの一部となっているとすることができる。
【０１０５】
これにより、ヒンジ部及びヒンジ装置の軽量化を図ることができる。
【０１０６】
本発明の態様７におけるヒンジ装置１０Ｃでは、前記第１筺体（ディスプレイ部３）は表示パネル３ａを備え、前記第２筺体（キーボード部２）は回路基板２ｂを備え、前記ヒンジ部１２は回転軸（ピン１２ａ）を備え、前記表示パネル３ａと前記回路基板２ｂとは、フレキシブル回路２ｃによって電気的に接続されていると共に、前記フレキシブル回路２ｃは、前記表示パネル３ａの幅の少なくとも半分以下の幅長さを有しており、かつ、回転軸（ピン１２ａ）の周りに該回転軸（ピン１２ａ）に固定しないように巻き付けられ、さらに、前記表示パネル３ａへ向かうフレキシブル回路２ｃと前記回路基板２ｂへ向かうフレキシブル回路２ｃとは互い違いに巻き付けられることが好ましい。
【０１０７】
これにより、第１筺体と第２筺体とを開閉してもフレキシブル回路がある張力を有して動作し、かつ、第１筺体と第２筺体との開閉動作をフレキシブル回路がアシストすることができる。この結果、フレキシブル回路に大きな張力が掛かって破れるのを防ぐことができる。
【０１０８】
本発明の態様８におけるヒンジ装置１０Ｃでは、前記表示パネル３０は、可撓性基板か
らなり、該可撓性基板にＴＦＴ層３１が設けられ、かつ該ＴＦＴ層３１の上に複数の光学素子３２が設けられており、さらに表示領域３０ａと該表示領域３０ａの外周を囲む額縁領域３０ｂとを有し、該額縁領域３０ｂの一端には前記フレキシブル回路２ｃからの信号を表示領域３０ａに入力する端子部３３が設けられ、該端子部３３と該表示領域３０ａとの間には折り曲げ部３４が設けられ、前記折り曲げ部３４には、前記ＴＦＴ層３１の少なくとも１層の無機絶縁膜にスリット３５が設けられ、かつ折り曲げ部３４において、前記額縁領域３０ｂが折り曲げられることによって前記端子部３３が表示パネル３０の裏面側を向くと共に、該表示パネル３０の裏面でフレキシブル回路２ｃと端子部３３とが接続されることが好ましい。
【０１０９】
これにより、表示パネルが、可撓性基板で形成されていたとしても、スリットを有する折り曲げ部により容易に折り曲げることができる。また、フレキシブル回路と表示パネルとを端子部にて容易に接続することができる。
【０１１０】
本発明の態様９におけるヒンジ装置１０Ｃでは、前記折り曲げ部３４は、前記Ｕ字状部１１の内部に形成される。
【０１１１】
これにより、折り曲げ部がＵ字状部の内部に隠れるので、折り曲げ部を見えなくすることができる。
【０１１２】
本発明の態様１０におけるヒンジ装置１０Ｃでは、前記ヒンジ部１２の回転軸（ピン１２ａ）から端子部３３方向に延伸する前記フレキシブル回路２ｃは、表示パネル３０と接する箇所で折り曲げられて、前記端子部と電気的に接続されることが好ましい。
【０１１３】
これにより、折り曲げ部にて折り返された表示パネルの端部に設けられた端子部とフレキシブル回路とが同一面になる。この結果、表示パネルの端子部とフレキシブル回路２ｃとを電気的に容易に接続することができる。
【０１１４】
本発明の態様１１におけるヒンジ装置１０Ａ・１０Ｂ・１０Ｃでは、前記ヒンジ部１２は、第１筺体（ディスプレイ部３）の裏面に設けられており、該第１筺体（ディスプレイ部３）を開蓋状態としたとき、該第１筺体（ディスプレイ部３）からヒンジ部１２が露出しない構成となっていることが好ましい。
【０１１５】
これにより、意匠性に優れたヒンジ装置を提供することができる。
【０１１６】
本発明の態様１２における電子機器（ノート型パソコン１Ａ・１Ｂ・１Ｃ）は、前記ヒンジ装置（ヒンジ装置１０Ａ・１０Ｂ・１０Ｃ）を備えていることを特徴としている。
【０１１７】
本構成によれば、簡単な構成で、第１筺体を開蓋状態としたときに正面斜め上方向からは第１筺体と第２筺体との間にヒンジ装置が見えず、かつ第１筺体の下端が第２筺体に隠れないようにし得るヒンジ装置を備えた電子機器を提供することができる。
【０１１８】
尚、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１１９】
１Ａ・１Ｂ      ノート型パソコン（電子機器）
２              キーボード部
２ａ            キーボード（第２筺体）
２ｂ            回路基板
２ｃ            フレキシブル回路
３              ディスプレイ部（第１筺体）
３ａ            表示パネル
３ｂ            ガラス板
１０Ａ・１０Ｂ    ヒンジ装置
１１              Ｕ字状部
１２              ヒンジ部
１２ａ            ピン（回転軸）
１２ｂ            Ｕ字状部側ピン支持部材
１２ｃ            ディスプレイ部側ピン支持部材
１３              凹部
１３ａ            円弧状凹部（凹部）
１３ｂ            矩形凹部（凹部）
３０              表示パネル
３０ａ            表示領域
３０ｂ            額縁領域
３３              端子部
３４              折り曲げ部
３５              スリット
【手続補正２】
【補正対象書類名】特許請求の範囲
【補正対象項目名】全文
【補正方法】変更
【補正の内容】
【特許請求の範囲】
【請求項１】
第１筐体と第２筐体との間に設けられ、前記第２筐体に対して前記第１筐体を開閉可能に連結するヒンジ装置において、
前記第２筐体の後側に、一端部が該第２筐体に一体に形成される断面Ｕ字状のＵ字状部を備え、
前記Ｕ字状部の他端部には、前記第２筐体に対して前記第１筐体を開閉すべく、該第１筐体の背面を支持し、該第１筐体を回転可能とするヒンジ部が設けられていると共に、
前記Ｕ字状部の一端部には、前記第１筐体の回転時に該第１筐体の下端と該Ｕ字状部の一端部との接触を回避させる凹部が形成されていることを特徴とするヒンジ装置。
【請求項２】
前記ヒンジ部は、前記第１筐体の下端から上端方向にずれた位置で該第１筐体の背面を支持していることを特徴とする請求項１に記載のヒンジ装置。
【請求項３】
前記凹部は、断面円弧状に形成されていることを特徴とする請求項１又は２に記載のヒンジ装置。
【請求項４】
前記凹部は、断面矩形状に形成されていることを特徴とする請求項１又は２に記載のヒンジ装置。
【請求項５】
前記ヒンジ部における、前記第１筐体と前記第２筐体との回転軸に平行な方向の長さは、前記第１筐体の長さの全部となっていることを特徴とする請求項１〜４のいずれか１項に記載のヒンジ装置。
【請求項６】
前記ヒンジ部における、前記第１筐体と前記第２筐体との回転軸に平行な方向の長さは、前記第１筐体の長さの一部となっていることを特徴とする請求項１〜４のいずれか１項に記載のヒンジ装置。
【請求項７】
前記第１筺体は、表示パネルを備え、
前記第２筺体は、回路基板を備え、
前記ヒンジ部は、回転軸を備え、
前記表示パネルと前記回路基板とは、フレキシブル回路によって電気的に接続されていると共に、
前記フレキシブル回路は、前記表示パネルの幅の少なくとも半分以下の幅長さを有しており、かつ、前記回転軸の周りに該回転軸に固定しないように巻き付けられ、さらに、前記表示パネルへ向かうフレキシブル回路と前記回路基板へ向かうフレキシブル回路とは互い違いに巻き付けられることを特徴とする請求項１〜６のいずれか１項に記載のヒンジ装置。
【請求項８】
前記表示パネルは、可撓性基板からなり、該可撓性基板にＴＦＴ層が設けられ、かつ該ＴＦＴ層の上に複数の光学素子が設けられており、さらに表示領域と該表示領域の外周を囲む額縁領域とを有し、該額縁領域の一端には前記フレキシブル回路からの信号を前記表示領域に入力する端子部が設けられ、該端子部と該表示領域との間には折り曲げ部が設けられ、
前記折り曲げ部には、前記ＴＦＴ層の少なくとも１層の無機絶縁膜にスリットが設けられ、かつ折り曲げ部において前記額縁領域が折り曲げられることによって前記端子部が表示パネルの裏面側を向くと共に、該表示パネルの裏面で前記フレキシブル回路と前記端子部とが接続されることを特徴とする請求項７に記載のヒンジ装置。
【請求項９】
前記折り曲げ部は、前記Ｕ字状部の内部に形成されることを特徴とする請求項８に記載 
のヒンジ装置。
【請求項１０】
前記ヒンジ部の回転軸から前記端子部方向に延伸する前記フレキシブル回路は、前記表示パネルと接する箇所で折り曲げられて、前記端子部と電気的に接続されることを特徴とする請求項８又は９に記載のヒンジ装置。
【請求項１１】
前記ヒンジ部は、前記第１筺体の裏面に設けられており、該第１筺体を開蓋状態としたとき、該第１筺体から前記ヒンジ部が露出しない構成となっていることを特徴とする請求項１〜９のいずれか１項に記載のヒンジ装置。
【請求項１２】
請求項１〜１１のいずれか１項に記載のヒンジ装置を備えていることを特徴とする電子機器。 
【国際調査報告】
2019043825.tif 000015
2019043825.tif 000016
2019043825.tif 000017
2019043825.tif 000018